(57)【特許請求の範囲】
【請求項１】
室内の空気を屋外へ排気する換気手段、室内へ空気を送風する送風手段及び、前記送風手段により室内へ送風する空気を加熱する加熱手段を有する空調装置と同一の室に設置され、
給湯源からの温水を供給する第１の電磁弁、前記第１の電磁弁から分岐された一方の管路に接続されて前記温水を噴出する第２の電磁弁及び、前記第１の電磁弁から分岐された他方の管路に接続されて水を排水する第３の電磁弁を内部に配設した電磁弁ユニットと、
前記第１の電磁弁、第２の電磁弁及び第３の電磁弁を所定の動作モードに基づいて開閉制御する制御手段とを備え、前記空調装置の運転と連動して温水を噴出する温水噴出装置であって、
前記制御手段は、
強噴出運転である第１動作モードが設定されると、前記第１の電磁弁及び第２の電磁弁を開状態にすると共に、前記第３の電磁弁を閉状態にし、
弱噴出運転である第２動作モードが設定されると、前記第１の電磁弁、第２の電磁弁及び第３の電磁弁の何れも開状態にすることで、２つの動作モードに応じた噴出量の切り換えを行うことを特徴とする温水噴出装置。
【請求項２】
前記電磁弁ユニットに金属イオン発生器が着脱可能に配設され、
前記第２の電磁弁から排出される温水に抗菌作用のある金属イオンを溶出すると共に、前記第２動作モードが設定されると、前記第３の電磁弁から排出される温水に抗菌作用のある金属イオンを溶出するようにしたことを特徴とする請求項１に記載の温水噴出装置。
【請求項３】
前記温水の流量あるいは電極間に印加される電圧の値を調整することで酸性電解水のｐＨを調整する電解水生成ユニットが前記第２の電磁弁の下流の管路に配設され、
前記管路を通る温水から酸性電解水を生成することを特徴とする請求項１に記載の温水噴出装置。
【請求項４】
室内の空気を屋外へ排気する換気手段、室内へ空気を送風する送風手段及び、前記送風手段により室内へ送風する空気を加熱する加熱手段を有する空調装置と、
給湯器より供給される温水を、前記空調装置の運転と連動して噴出し、又は、排水動作が可能な温水噴出手段とが取り付けられてなる室であって、
前記温水噴出手段を動作モードに基づいて排水制御する制御手段を備え、
前記温水噴出手段は、
前記給湯器からの温水を供給する第１の弁と、
前記第１の弁から分岐された一方の管路に接続されて前記温水を噴出する第２の弁と、
前記第１の弁から分岐された他方の管路に接続されて水を排水する第３の弁とを有し、
前記制御手段は、
強噴出運転である第１動作モードが設定されると、前記第１の弁及び第２の弁を開状態にすると共に、第３の弁を閉状態にし、
弱噴出運転である第２動作モードが設定されると、前記第１の弁、第２の弁及び第３の弁の何れも開状態にすることを特徴とする室。
【発明の詳細な説明】
【技術分野】
【０００１】
この発明は、給湯器より供給される温水を噴出したり、温水が供給される所定箇所を抗菌するミストサウナ装置や、当該装置を備えた浴室システムに適用して好適な温水噴出装置及びこれを応用した室に関する。詳しくは、動作モードに基づいて給湯弁、噴出弁及び排水弁を開閉制御する制御手段を備え、第１動作モードが設定されると、給湯弁及び噴出弁を開状態にすると共に、排水弁を閉状態にし、第２動作モードが設定されると、給湯弁、噴出弁及び排水弁の何れも開状態にして、強噴出運転と弱噴出運転の二つの動作モードを実行できるようにしたものである。
【背景技術】
【０００２】
従来より、温水をミストとして浴室内に噴出し、浴室の暖房を行うミストサウナ装置等と称される装置が提案されている（例えば、特許文献１参照）。
【０００３】
ミストサウナ装置は、単数もしくは複数のミストノズルを浴室の壁面等に備え、給湯器から供給された温水をミストにして浴室内に噴出する構成である。
【０００４】
【特許文献１】特公平６−５９３０１号公報
【発明の開示】
【発明が解決しようとする課題】
【０００５】
従来方式のミストサウナ発生装置によれば、利用者の好みに応じてミスト噴出量を強弱に切替えて利用するような機能が備えられている。この種のミストサウナ発生装置には、複数の噴出ノズルが搭載され、それぞれの噴出ノズルに対して、配管途中にノズル選択用の電動弁が配置されている。ミスト強弱運転は、ミストを噴出するノズルの数を変えることで実行するものである。しかし、このような構造であると、複数のノズルを搭載する必要があり、配管も複雑となって装置の大型化及びコスト高を生じる原因となる。
【０００６】
この発明は、上述の課題に鑑み創作されたものであり、給湯弁、噴出弁及び排水弁の開閉制御を工夫して強噴出運転と弱噴出運転の二つの動作モードを実行できるようにした温水噴出装置及びこれを応用した室を提供することにある。
【課題を解決するための手段】
【０００７】
本発明に係る温水噴出装置は、室内の空気を屋外へ排気する換気手段、室内へ空気を送風する送風手段及び、前記送風手段により室内へ送風する空気を加熱する加熱手段を有する空調装置と同一の室に設置され、給湯源からの温水を供給する第１の電磁弁、この第１の電磁弁から分岐された一方の管路に接続されて温水を噴出する第２の電磁弁及び、第１の電磁弁から分岐された他方の管路に接続されて水を排水する第３の電磁弁を内部に配設した電磁弁ユニットと、第１の電磁弁、第２の電磁弁及び第３の電磁弁を所定の動作モードに基づいて開閉制御する制御手段とを備え、空調装置の運転と連動して温水を噴出する温水噴出装置であって、制御手段は、強噴出運転である第１動作モードが設定されると、第１の電磁弁及び第２の電磁弁を開状態にすると共に、第３の電磁弁を閉状態にし、弱噴出運転である第２動作モードが設定されると、第１の電磁弁、第２の電磁弁及び第３の電磁弁の何れも開状態にすることで、２つの動作モードに応じた噴出量の切り換えを行うことを特徴とするものである。
【０００８】
本発明に係る温水噴出装置によれば、空調装置の運転と連動して温水を噴出する場合、第１の電磁弁は、給湯源からの温水を供給する。第２の電磁弁は、第１の電磁弁から分岐された一方の管路に接続されて温水を噴出するようになされる。第３の電磁弁は、第１の電磁弁から分岐された他方の管路に接続されて水を排水する。制御手段は、第１の電磁弁、第２の電磁弁及び第３の電磁弁を所定の動作モードに基づいて開閉制御する。これを前提にして、制御手段は、強噴出運転である第１動作モードが設定されると、第１の電磁弁及び第２の電磁弁を開状態にすると共に、第３の電磁弁を閉状態にし、弱噴出運転である第２動作モードが設定されると、第１の電磁弁、第２の電磁弁及び第３の電磁弁の何れも開状態にすることで、２つの動作モードに応じた噴出量の切り換えを行うようになる。
【０００９】
従って、第１動作モード実行時に、第１の電磁弁を通過した温水の全部を第２の電磁弁を介して噴出できるので、強噴出運転を実行することができる。第２動作モード実行時には、第１の電磁弁を通過した温水の一部を第３の電磁弁を介して排水できるので、強噴出運転時に比べて第２の電磁弁を通過する温水噴出量を低減できるようになる。
【００１０】
本発明に係る室は、室内の空気を屋外へ排気する換気手段、室内へ空気を送風する送風手段及び、前記送風手段により室内へ送風する空気を加熱する加熱手段を有する空調装置と、給湯器より供給される温水を空調装置の運転と連動して噴出し、又は、排水動作が可能な温水噴出手段とが取り付けられてなる室であって、温水噴出手段を動作モードに基づいて排水制御する制御手段を備え、温水噴出手段は、給湯器からの温水を供給する第１の弁と、この第１の弁から分岐された一方の管路に接続されて温水を噴出する第２の弁と、第１の弁から分岐された他方の管路に接続されて水を排水する第３の弁とを有し、制御手段は、強噴出運転である第１動作モードが設定されると、第１の弁及び第２の弁を開状態にすると共に、第３の弁を閉状態にし、弱噴出運転である第２動作モードが設定されると、第１の弁、第２の弁及び第３の弁の何れも開状態にすることを特徴とするものである。
【００１１】
本発明に係る室によれば、本発明に係る温水噴出装置が備えられているので、第１動作モード実行時に、第１の弁を通過した温水の全部を第２の弁を介して噴出できるので、噴出強運転を実行することができる。また、第２動作モード実行時には、第１の弁を通過した温水の一部を第３の弁を介して排水できるので、噴出強運転時に比べて第２の弁を通過する温水噴出量を低減できるようになる。これにより、第１の弁、第２の弁及び第３の弁の開閉制御により、強噴出運転と弱噴出運転の二つの動作モードを体験できるようになる。
【発明の効果】
【００１２】
本発明に係る温水噴出装置によれば、所定の動作モードに基づいて第１の電磁弁、第２の電磁弁及び第３の電磁弁を開閉制御する制御手段を備え、強噴出運転である第１動作モードが設定されると、第１の電磁弁及び第２の電磁弁を開状態にすると共に、第３の電磁弁を閉状態にし、弱噴出運転である第２動作モードが設定されると、第１の電磁弁、第２の電磁弁及び第３の電磁弁の何れも開状態にすることで、２つの動作モードに応じた噴出量の切り換えを行うものである。
【００１３】
この構成によって、第１動作モード実行時に、第１の電磁弁を通過した温水の全部を第２の電磁弁を介して噴出できるので、強噴出運転を実行することができる。第２動作モード実行時には、第１の電磁弁を通過した温水の一部を第３の電磁弁を介して排水できるので、強噴出運転時に比べて第２の電磁弁を通過する温水噴出量を低減できるようになる。従って、第１の電磁弁、第２の電磁弁及び第３の電磁弁を開閉制御により、強噴出運転と弱噴出運転の二つの動作モードを実行できるようになる。
【００１４】
本発明に係る室によれば、本発明に係る温水噴出装置が設けられているので、第１の弁、第２の弁及び第３の弁を開閉制御により、強噴出運転と弱噴出運転の二つの動作モードを体験できるようになる。
【発明を実施するための最良の形態】
【００１５】
以下、図面を参照しながら、この発明の実施の形態としての温水噴出装置及びこれを応用した室について説明する。
【実施例１】
【００１６】
図１は、本発明に係る各実施例としての浴室システム１の構成例を示す断面の概念図である。
【００１７】
＜浴室システムの全体＞
図１に示す浴室システム１は、本発明に係る温水噴出装置が応用される。この浴室システム１は、ミスト発生装置２、浴室空調装置３及びヒートポンプ式の給湯装置４を備えて構成されている。ミスト発生装置２は、浴室１０１の天井に配設され、霧状にした温水（ミスト）を浴室１０１内に噴出するようになされる。このミスト発生装置２は、給湯源や給湯器等の一例を構成する給湯装置４より排出される温水を利用してミストを発生するものである。
【００１８】
ミスト発生装置２は、温水噴出装置の一例を構成し、電磁弁ユニット２０１、電源部ユニット２Ｂ及びノズルユニット２Ｃから構成されている。電磁弁ユニット２０１の内部には複数の電磁弁が設けられ、給湯装置４より排出される温水又は配管内の残水の排出を切換えるようになされる。電磁弁ユニット２０１は浴室１０１の天井裏に配置されるが、浴室１０１の天井に有する点検口１０１ａの近傍に配設される。
【００１９】
この電磁弁ユニット２０１には、後述するように銀イオンユニット（図１には図示せず）が含まれている。電磁弁ユニット２０１を点検口１０１ａの近傍に配設することで、銀イオンユニットの交換を簡単に行うことができ、メンテナンスが容易となる。
【００２０】
電磁弁ユニット２０１には、給湯装置４から排出される温水を受けるための給湯配管２ａと、ノズルユニット２Ｃに温水を供給するためのノズル配管２ｂと、温水（残水）を排水するためのドレン配管２ｃとが接続されている。ドレン配管２ｃの開放端は、浴槽１０１ｂの下面に配置されたドレンパン１０１ｃに対向するようにされている。ここで、給湯配管２ａは第１の温水路を構成し、ノズル配管２ｂは第２の温水路を構成し、ドレン配管２ｃは第３の温水路を構成している。
【００２１】
電磁弁ユニット２０１には、制御手段の一例を構成する電源部ユニット２Ｂが接続されている。電源部ユニット２Ｂにはミスト操作部７が接続される。電源部ユニット２Ｂは、電磁弁ユニット２０１と同様にして、浴室１０１の天井裏に配置され、当該ユニット内に設けられた複数の電磁弁をミスト操作部７からの操作指令に基づいて開閉制御を実行する。操作指令には入浴ミスト運転や弱ミスト運転等の動作モードを設定する操作データが含まれる。
【００２２】
電磁弁ユニット２０１にはノズルユニット２Ｃが接続され、浴室内に向けて配置されるノズルを備え、温水によるミストを噴出するようになされる。ノズルユニット２Ｃは例えば、天井表面に取り付けられる。
【００２３】
浴室空調装置３も浴室１０１の天井に配設され、浴室１０１の暖房や換気等が行われる。浴室空調装置３の熱源として、当該浴室空調装置３に内蔵した電気ヒータが利用される。浴室空調装置３には換気ダクト８が接続され、この換気ダクト８には換気グリル８ａが接続される。換気グリル８ａは、排気口を有しており、浴室外部に排気口を向けて取り付けられる。
【００２４】
上述の電磁弁ユニット２０１には、給湯源の一例となる給湯装置４が接続され、冷媒ガスを圧縮して得られる熱源を利用して水を温めるようになされる。給湯装置４は、例えば、屋外に配置され、ミスト発生装置２及び浴室１０１等に温水を給湯し、又は水を供給するようになされる。給湯装置４からの温水は、洗面脱衣所１０２の洗面器の給湯栓１０２ａにも給湯される。
【００２５】
なお、ミスト発生装置２及び浴室空調装置３には、主操作部６及びミスト操作部７が接続され、これらの操作に基づいてミスト発生及び空調動作を実行する。主操作部６は、浴室空調装置３に内蔵された制御部（図１には図示せず）に電気ケーブル６ａで接続されたリモートコントロール（遠隔制御）装置である。
【００２６】
この主操作部６（以下、「空調リモコン６」という）は、洗面脱衣所１０２の壁に取り付けられている。ミスト操作部７は、電源部ユニット２Ｂに内蔵された制御部（図１には図示せず）に電気ケーブル７ａで接続されたリモートコントロール装置である。このミスト操作部７（以下、「ミストリモコン７」という）は、浴室１０１の壁に取り付けられている。
【００２７】
また、浴室１０１内、例えば、浴室空調装置３のフロントパネル２６には、人体検出センサ６９Ａが取り付けられ、浴室利用者が浴室内に入室すると、それを検知して入室検知信号Ｓ６９を出力するようになされる。この人体検出センサ６９Ａは、例えば赤外線センサを用いて構成されたものである（特開平１０−１４２３５１号公報参照）。
【００２８】
このように、温水噴出装置を応用した浴室システム１が構成される。以下で、電磁弁ユニット２０１の内部構成例及びその制御例について説明する。
【００２９】
＜電磁弁ユニット＞
図２は、電磁弁ユニット２０１の構成例及び電源部ユニット２Ｂへの接続例を示す図である。図２に示す電磁弁ユニット２０１は筐体２Ａ′を有している。この例で、筐体２Ａ′の一側面を開放すると、電磁弁ユニット内の電磁弁の配置が見られる構成となされている。
【００３０】
筐体２Ａ′には、上述した給湯配管２ａを接続するための接続部２ａ′と、同様にノズル配管２ｂを接続するための接続部２ｂ′と、ドレン配管２ｃを接続するための接続部２ｃ′とが取り付けられて固定されている。この例で、筐体２Ａ′の内側において、接続部２ａ′には第１の弁（給湯弁）の一例となる給湯用の電磁弁２ｄが取り付けられ、給湯装置４からの温水を供給するようになされる。
【００３１】
この電磁弁２ｄには温度検出センサ２ｈを挟んで銀イオンユニット２ｇが接続され、電磁弁２ｄから排出される温水Ｉに抗菌作用のある銀イオンを溶出するようになされる。銀イオンユニット２ｇから分岐された一方の配管２ｊには、第２の弁（噴出弁）の一例となるミストユニット用の電磁弁２ｅが取り付けられ、温水Ｉをノズルユニット２Ｃへ供給するようになされる。電磁弁２ｅの下流側（他端）は接続部２ｂ′に取り付けられる。
【００３２】
電磁弁２ｅよりも低い位置には、第３の弁（排水弁）の一例となる電磁弁２ｆが配設されると共に、銀イオンユニット２ｇから分岐された他方の配管２ｋに取り付けられ、水や残水等を排出するようになされる。ここにいう水には、温水Ｉを含むものである。電磁弁２ｆの下流側（他端）は接続部２ｃ′に取り付けられる。つまり、接続部２ａ′には電磁弁２ｄの一端が接続され、この電磁弁２ｄの他端には、温度検出センサ２ｈ、銀イオンユニット２ｇ及び配管２ｊを介して電磁弁２ｅの一端が接続される。この電磁弁２ｅの他端は接続部２ｂ′に接続される。さらに、銀イオンユニット２ｇの配管２ｊから分岐された配管２ｋは、電磁弁２ｆの一端に接続され、この電磁弁２ｆの他端には接続部２ｃ′が接続される。この例で、電磁弁２ｅ，２ｆは流路切替器を構成している。温度検出センサ２ｈは、配管２ｉに取り付けられており、この配管２ｉを流れる水（温水）の温度を検出する。
【００３３】
＜電源部ユニット＞
上述した電磁弁２ｄ、電磁弁２ｅ、電磁弁２ｆ、銀イオンユニット２ｇ及び温度検出センサ２ｈには、電源部ユニット２Ｂが接続され、温度検出センサ２ｈから出力される温度検出信号Ｓ２ｈや、動作モード設定時の操作信号Ｓ７に基づいて電磁弁２ｄ、電磁弁２ｅ及び電磁弁２ｆを開閉制御したり、銀イオンユニット２ｇの出力を制御する。電源部ユニット２Ｂは、第１動作モードの一例となる入浴ミスト運転が設定されると、電磁弁２ｄ及び電磁弁２ｅを開状態にすると共に、電磁弁２ｆを閉状態にするようになされる。また、電源部ユニット２Ｂは、第２動作モードの一例となる弱ミスト運転が設定されると、電磁弁２ｄ、電磁弁２ｅ及び電磁弁２ｆの何れも開状態にするようになされる。
【００３４】
＜銀イオンユニット＞
上述の銀イオンユニット２ｇは、金属イオン発生器の一例を構成し、例えば、電磁弁２ｄの管路２ｉに取り付けられる場合、イオン発生制御信号Ｓ２ｇに基づいて配管２ｉからの温水Ｉ又は水に抗菌作用のある銀イオンを溶出し、この銀イオンが溶出された水を配管２ｊ，２ｋに供給する。この銀イオンユニット２ｇにおける基本的な構成は以下の通りである。すなわち、陰極側の電極と陽極側の銀からなる電極とが水に浸された状態で対向して配置され、これらの電極間に電圧が印加されることで、陽極側の電極から水中に銀イオンが溶出される。この場合、陽極側で、Ａｇ→Ａｇ+＋ｅ-の反応が起こる。この銀イオンは、５ppb〜１０ppb程度の濃度で強い抗菌の効果を示し、人体に対して影響のないことで知られている。
【００３５】
ここで、電極間に印加される電圧の値、あるいは電極間に間欠的に電圧を印加する場合の印加時間の割合を制御することで陽極側の電極から水中に溶出される銀イオンの量を制御できる。この例では、入浴ミストモードや弱ミストモード等の動作モードが設定されると、電磁弁２ｄから排出される温水Ｉに抗菌作用のある銀イオンを溶出するようになされる。これにより、排水動作時、抗菌作用のある銀イオンが溶出された温水Ｉを電磁弁２ｆから排出することができる。なお、銀イオンユニット２ｇは、ある程度使用すると銀電極が小さくなって交換することが必要となる。従って、銀イオンユニット２ｇは、電磁弁ユニット２０１内に交換可能に配されている。
【００３６】
続いて、図２に示した電磁弁ユニット２０１の動作例について説明をする。図３Ａ〜Ｃは、電磁弁ユニット２０１のミストサウナ運転時の動作例を示す線図である。  
図３Ａに示す電磁弁ユニット２０１では、ミストサウナ運転開始直前の状態であって、当該電磁弁ユニット内の全ての電磁弁２ｄ、２ｅ及び２ｆが閉じた状態となされる。この状態はミストサウナ運転を停止していてその開始を待機している状態でもある。
【００３７】
図３Ｂに示す電磁弁ユニット２０１によれば、図示しない人体検出センサが利用者の入室を検知すると、当該電磁弁ユニット内の給湯用の電磁弁２ｄ及び排水用の電磁弁２ｆが開いた状態で、ミストユニット用の電磁弁２ｅが閉じた状態に制御される。このとき、給水配管２ａ（図１参照）からの温水Ｉが接続部２ａ′から電磁弁２ｄ及び配管２ｉを通じて銀イオンユニット２ｇに供給される。
【００３８】
この制御では、給湯配管２ａ（図１参照）からの温水Ｉが接続部２ａ′から電磁弁２ｄ及び配管２ｋを通じて排水用の電磁弁２ｆに供給される場合であって、排水温度が噴出設定温度以上となるように、配管内の残水を排出するようになされる。このとき、電磁弁２ｄを通過した後の配管２ｊを流れる水（温水）の温度が検出され、温度検出センサ２ｈから電源部ユニット２Ｂへ温度検出信号Ｓ２ｈが出力される。
【００３９】
図２に示した電源部ユニット２Ｂでは、温度検出信号Ｓ２ｈを入力し、排水温度と噴出設定温度とを比較し、排水温度が噴出設定温度以上である場合は、電磁弁２ｆを閉じて排水動作を停止する。また、排水温度が噴出設定温度未満である場合は、排水温度が噴出設定温度となるまで、電磁弁２ｆを開いた状態で排水動作を継続し、排水温度が噴出設定温度と一致した時点で電磁弁２ｆの排水動作を停止するようになされる。
【００４０】
図３Ｃに示す電磁弁ユニット２０１によれば、入浴ミスト運転（第１動作モード）が設定されると、電磁弁２ｄを開いたままで、ミストユニット用の電磁弁２ｅを開く。この電磁弁２ｅを開くことで、給湯配管２ａからの温水Ｉが接続部２ａ′から電磁弁２ｄ、銀イオンユニット２ｇ、配管２ｊ、電磁弁２ｅ及び接続部２ｂ′を通じてノズル配管２ｂ（図１参照）に供給される。温水Ｉはミストノズルユニット２Ｃから噴出される。このとき、排水用の電磁弁２ｆは閉じたままである。電磁弁２ｅを開くことで、銀イオンユニット２ｇで銀イオンが溶出された温水Ｉが配管２ｊ、電磁弁２ｅ及び接続部２ｂ′を通じてノズル配管２ｂ（図１参照）に供給される。
【００４１】
図４Ａ及びＢは、電磁弁ユニット２０１の弱ミスト運転時及びその停止時の動作例を示す線図である。図４Ａに示す電磁弁ユニット２０１によれば、入浴ミスト運転中において、弱ミスト運転（第２動作モード）が設定されると、給湯用の電磁弁２ｄを開いたまま、排水用の電磁弁２ｆを開けることで、接続管２ｂ′からの温水Ｉが、配管２ｊ及び２ｋを通じて電磁弁２ｆを通じて排水される。このとき、電磁弁２ｅと共に電磁弁２ｆが開くことで、電磁弁２ｅへの温水Ｉの供給量が低減する。電磁弁２ｆを開くことで、銀イオンユニット２ｇで銀イオンが溶出された温水が配管２ｋ、電磁弁２ｆ及び接続部２ｃ′を通じてドレン配管２ｃ（図１参照）に供給される。これにより、浴室ユニット１から外部へ通じる下水配管を入浴ミスト運転時と同様の排水量で、抗菌作用のある銀イオンにより処理することができる。
【００４２】
なお、弱ミスト運転中、再度、弱ミスト運転設定用の操作ボタンが押下されると、通常の入浴ミスト運転に設定が切り替わるようになされる。その際には、電磁弁２ｆが閉じることで、電磁弁２ｅへ流入する温水Ｉが元の供給量に戻るようになされる。弱ミスト運転又は入浴ミスト運転の停止が設定されると、電磁弁２ｄを閉じると共に、所定時間後、例えば、３秒後にミストユニット用の電磁弁２ｅを閉じた後に、排水用の電磁弁２ｆを閉じるように制御される。これにより、図４Ｂに示すように電磁弁ユニット内の全ての電磁弁２ｄ、２ｅ及び２ｆが閉じた状態となされる。次のミストサウナ運転を待機するようになる。
【００４３】
＜ノズルユニット＞
図５Ａ〜Ｃは、ノズルユニット２Ｃの構成例を示す図である。図５Ａは、ノズルユニット２Ｃの正面図、図５Ｂはノズルユニット２Ｃの下側から見た平面図、図５Ｃはノズルユニット２Ｃの側面図を各々示している。
【００４４】
図５Ａに示すノズルユニット２Ｃは、ミストを噴出するためのノズル２ｍを長手方向の下部に複数個、ここでは図５Ｂに示すように、３個直列に配置しており、全体として直方体状の可動部２Ｃaと、この可動部２Ｃaの長手方向の両側にそれぞれ配置された固定部２Ｃb1，２Ｃb2とから構成されている。固定部２Ｃb1，２Ｃb2は、浴室１０１の天井に固定され、可動部２Ｃaを回動可能に軸支している。図５Ｃに示すように、可動部２Ｃaは、回動軸を基準にして左右にスイング可能な構造となされている。
【００４５】
例えば、固定部２Ｃb1は、図示せずも可動部２Ｃaを回動駆動するための、モータ、減速機構等を備えた駆動機構を備えている。この駆動機構により、可動部２Ｃaを回動させ、ノズル２ｍが所定方向に向くように制御することが可能となっている。但し、可動部２Ｃaを回動駆動するための駆動機構を設けず、手動で任意に方向を切替えられる構造としてもよい。
【００４６】
固定部２Ｃb2はノズル配管２ｂ（図１参照）を接続するための接続部２ｎを備えている。この接続部２ｎにノズル配管２ｂから供給される温水Ｉは、図示しない固定部２Ｃb2内の配管及び可動部２Ｃa内の配管を通じて各ノズル２ｍに供給され、ミストとして噴出される。
【００４７】
＜浴室空調装置＞
図６及び図７は、浴室空調装置３の構成例を示す図である。図６は、浴室空調装置３の内部構成例を示す断面図である。
【００４８】
図６に示す浴室空調装置３は、ファン部３２と、熱源としてのヒータ部３３とを備えている。ファン部３２は、本体ケース３４に取り付けられている。ファン部３２は、回転駆動される多翼のファン３５と、このファン３５を駆動電圧Ｖ３６により回転駆動するファンモータ３６と、このファンモータ３６が取り付けられると共に、風路を形成するファンケース３７とを備えている。
【００４９】
ファン３５は縦向きに配置されている。ファンケース３７のファン３５の軸方向に沿った下面が開口し、吸込口３８とされている。また、ファンケース３７のファン３５の軸方向とは直交する方向に沿った一の側面が開口し、この開口部に風路切換部３９が備えられている。
【００５０】
風路切換部３９は風路を切り換えるダンパ４０を備える。ダンパ４０は、駆動電圧Ｖ４０ｃに基づいて駆動するダンパモータ４０ｃの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備えている。この場合、ダンパ４０の位置によって、吸込口３８から吹出口４１へ連通した風路、あるいは吸込口３８から排気口４２へ連通した風路が形成される。
【００５１】
上述の吹出口４１の所定の位置にはヒータ部３３が取り付けられ、駆動電圧Ｖ３３に基づいて排出空気を加熱するようになされる。ヒータ部３３には、加熱手段を構成する電気ヒータが使用される。吹出口４１から浴室内へ温風を排気することで、ミストの温度低下を防止し、浴室内を暖房するようになされる。
【００５２】
ファンケース３７は、ヒータ部３３の上流側であって、吸込口３８の所定の位置にはイオン発生器４４を備えている。イオン発生器４４は、ダンパ４０を循環位置あるいは循環換気位置に設定することで形成される循環風路４３ａにイオン放出面を露出するようになされる。イオン発生器４４は、駆動電圧Ｖ４４に基づいて正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５３】
これらＨ+（Ｈ2Ｏ）m及びＯ2-（Ｈ2Ｏ）nは、浮遊菌の表面に付着し、化学反応して活性種であるＨ2Ｏ2又は・ＯＨを生成する。Ｈ2Ｏ2又は・ＯＨは、極めて強力な活性を示すため、これらにより、空気中の浮遊細菌を取り囲んで除去することができる。ここで、・ＯＨは活性種の１種であり、ラジカルのＯＨを示している。
【００５４】
これにより、ファン部３２の運転と連動させて略同数の正イオンと負イオンを発生させ、略同数の正イオンと負イオンを含む空気を送風することで、循環する空気に含まれる浮遊細菌と、図１に示す浴室１０１の空気中の浮遊細菌の双方を除去して、カビの発生等を抑えることができる。
【００５５】
図７は浴室空調装置３の分解例を示す斜視図である。図７に示す浴室空調装置３は、本体ケース３４からフロントパネル２６が取外し（分解）可能な構造となされている。この例で、本体ケース３４の吸込口３８に対応した部分に、温度検出センサ６９が取り付けられている。この温度検出センサ６９は、浴室１０１の温度を検出するためのものである。
【００５６】
図７において、本体ケース３４は、下面が開口し、吸込口３８と吹出口４１が露出するようにされている。この本体ケース３４の下面開口部に、フロントパネル２６が取り付けられる。フロントパネル２６は、本体ケース３４に着脱可能なように構成されている。
【００５７】
このフロントパネル２６は、ファン部３２の吸込口３８と対向して吸込グリル４５を備えると共に、ファン部３２の吹出口４１と対向して吹出グリル４６を備える。また、フロントパネル２６の吸込グリル４５の裏側に、図示しないフィルタ４７が交換可能に取り付けられる。本体ケース３４は、ファン部３２の排気口４２と連通する排気ダクト接続部４８を一の側面に備える。この排気ダクト接続部４８に、図１に示したような排気ダクト８が接続される。
【００５８】
図８Ａ〜Ｃは、浴室空調装置３の動作例を示す図である。図８Ａは、ダンパ４０を全閉にした状態例を示す断面図である。この例では、浴室空調装置３のダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称する。
【００５９】
また、図８Ａに示すように、ダンパ４０の位置を循環位置にし、ファンモータ３６によりファン３５を回転駆動すると、空気が吸込口３８から吸い込まれ、循環風路４３ａを通り吹出口４１から吹き出す。このとき、ヒータ部３３に通電すると、ヒータ部３３が加熱することで吹出口４１を通る空気が温められ、温風が吹出口４１から吹き出す。ここで、ヒータ部３３としては例えばＰＴＣ(Positive Temperature Coefficient)ヒータを使用できる。
【００６０】
図８Ｂは、ダンパ４０を全開にした状態例を示す断面図である。図８Ｂに示す浴室空調装置３によれば、そのダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称する。
【００６１】
図８Ｃは、ダンパ４０を循環位置と換気位置の中間位置にした状態例を示す断面図である。図８Ｃに示す浴室空調装置３によれば、そのダンパ４０を循環位置と換気位置の中間位置にすると、吸気口３８から吹出口４１へ連通した循環風路４３ａと、吸気口３８から排気口４２へ連通した換気風路４３ｂの双方が形成される。この中間位置を循環換気位置と称する。
【００６２】
続いて、浴室空調装置３の動作例について説明をする。この浴室空調装置３では、例えば、ファンモータ３６が回転駆動されると、ファン部３２のファン３５が回転する。ファン３５が回転すると、フロントパネル２６の吸込グリル４５を介して、ファン部３２の吸込口３８から浴室１０１の空気が吸い込まれる。
【００６３】
ダンパ４０の位置が図８Ａに示す循環位置にあると、ファン部３２において吸込口３８から吹出口４１への循環風路４３ａが形成されるので、吸込口３８から吸い込まれた空気は、循環風路４３ａを通り吹出口４１からフロントパネル２６の吹出グリル４６を介して浴室１０１内に吹き出される。
【００６４】
ヒータ部３３は循環風路４３ａの吹出口４１に配置されるので、ヒータ部３３が駆動されることで、循環風路４３ａを通る空気は、このヒータ部３３で温められて吹出グリル４６から吹き出す。これにより、ダンパ４０を循環位置として、ファンモータ３６が回転駆動されると、ヒータ部３３を駆動した場合は、浴室１０１内の空気を循環させながら、浴室１０１内に温風を吹き出させることができる。
【００６５】
ダンパ４０の位置が図８Ｂに示す換気位置にあると、ファン部３２において吸込口３８から排気口４２への換気風路４３ｂが形成されるので、吸込口３８から吸い込まれた空気は、換気風路４３ｂ及び排気口４２を通り、さらに、図１に示した排気ダクト８を通って排気グリル８ａから屋外へ排気される。これにより、ダンパ４０を換気位置として、ファンモータ３６が回転駆動されると、浴室１０１内の湯気や湿気が排気される。
【００６６】
ダンパ４０の位置が図８Ｃに示す循環換気位置にあると、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される。
【００６７】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。また、ヒータ部３３を駆動した場合は、浴室１０１内の空気を循環させてこの浴室１０１内に温風を吹き出しながら、浴室１０１内の湯気や湿気が排気される。
【００６８】
＜ヒートポンプ給湯システム＞
図９は、ヒートポンプ式の給湯装置４の構成例を示すブロック図である。図９に示す給湯装置４は、図１に示したミスト発生装置２、浴室１０１、洗面脱衣所１０２、台所１０３等に温水Ｉを供給するものである。  
給湯装置４は、ヒートポンプユニット５３及び貯湯タンクユニット５４を有して構成される。ヒートポンプユニット５３は、大気と冷媒ガスとの間の熱交換及び冷媒ガスと水との間の熱交換で温水Ｉを生成する。貯湯タンクユニット５４には、ヒートポンプユニット５３で生成された温水Ｉを貯水するようになされる。例えば、貯湯タンクユニット５４は、３００乃至５００リットルの蓄湯容量を有している。
【００６９】
ヒートポンプユニット５３は、空気熱交換器５５及び水熱交換器５６を有して構成される。空気熱交換器５５は、大気と冷媒ガスとの間で熱交換を行って、冷媒ガスの温度を上昇させるものである。水熱交換器５６は、冷媒ガスと水との間で熱交換を行って、水の温度を上昇させるものである。
【００７０】
ヒートポンプユニット５３には、ファン５５ａ及び冷媒配管５７が設けられる。ファン５５ａは、空気熱交換器５５に大気を供給するように使用される。冷媒配管５７は、空気熱交換器５５と水熱交換器５６との間に接続され、空気熱交換器５５と水熱交換器５６との間で冷媒ガスを循環するように使用される。
【００７１】
また、ヒートポンプユニット５３には、ファン５５ａ及び冷媒配管５７の他に圧縮機５８が備えられる。圧縮機５８は、空気熱交換器５５と水熱交換器５６の間であって、空気熱交換器５５の下流側に配置され、空気熱交換器５５で熱交換されて冷媒配管５７を流れる冷媒ガスを圧縮して温度をさらに上昇させるように使用される。
【００７２】
また、ヒートポンプユニット５３には、空気熱交換器５５と水熱交換器５６の間であって、水熱交換器５６の下流側には膨張弁５９が備えられる。膨張弁５９は、水熱交換器５６で熱交換されて冷媒配管５７を流れる冷媒ガスを膨張させて温度を低下させるように使用される。
【００７３】
ヒートポンプユニット５３には貯湯タンクユニット５４が接続され、当該ヒートポンプユニット５３で生成された温水Ｉを貯水するタンク６０を備える。タンク６０は、下部側に水が供給されると共に、上部側に温水Ｉが供給されて、下部側に比べて上部側の温度が高くなる段層化した状態で温水Ｉを貯水する。
【００７４】
ヒートポンプユニット５３と貯湯タンクユニット５４とは、水熱交換器５６とタンク６０の間が温水配管６１ａ及び冷水配管６１ｂで接続されている。例えば、温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００７５】
この冷水配管６１ｂにはポンプ６１ｃが取り付けられている。ポンプ６１ｃは、冷水配管６１ｂを介してタンク６０の流出口６０ｂから水を吸い込んで水熱交換器５６に供給し、水熱交換器５６を通過して生成された温水Ｉを、温水配管６１ａを介して流入口６０ａからタンク６０に供給する。
【００７６】
また、タンク６０には取水配管６２と給湯配管６３とがそれぞれ接続されている。取水配管６２は、タンク６０に貯水された温水Ｉを取水するために使用される。取水配管６２は、高温部取水配管６２ａと中温部取水配管６２ｂを備えている。高温部取水配管６２ａは、流入口６０ａと独立してタンク６０の上部に設けられる高温部取水口６０ｃと接続される。中温部取水配管６２ｂは、高温部取水口６０ｃより下側に設けられる中温部取水口６０ｄに接続される。
【００７７】
取水配管６２は、高温部取水配管６２ａと中温部取水配管６２ｂの合流箇所に切換弁６２ｃを備え、タンク６０における取水元が、高温部取水口６０ｃか中温部取水口６０ｄに切り換えられる。
【００７８】
給水配管６３は、タンク６０に給水を行うために使用される。給水配管６３は、例えば、流出口６０ｂと独立してタンク６０の下部に設けられる給水口６０ｅと接続されると共に、タンク６０の手前で分岐した分岐給水配管６３ａを備える。
【００７９】
さらに、貯湯タンクユニット５４は、取水配管６２から供給される温水Ｉと、分岐給水配管６３ａから供給される水を混合させる給湯混合弁６４を備える。給湯混合弁６４は、取水配管６２と分岐給水配管６３ａの合流箇所に備えられ、取水配管６２から供給される温水Ｉと、分岐給水配管６３ａから供給される水の混合比を切り換えて、給湯配管６５から供給される温水Ｉの温度を調整する。常温の水を排出することもできる。
【００８０】
給湯配管６５は、図１に示した浴室１０１のシャワー１０１ａや浴槽１０１ｂ、洗面脱衣所１０２の蛇口１０２ａ及び図示しない台所１０３の蛇口等と接続され、温水Ｉ又は水を供給する。また、浴室１０１に接続される給湯配管６５には、ミスト給湯配管６５ａが接続される。ここに分岐されたミスト給湯配管６５ａには、ミスト発生装置２が接続される。
【００８１】
次に、ヒートポンプ式の給湯装置４の動作例について説明する。給湯装置４では、まず、貯湯タンクユニット５４のタンク６０に、給水配管６３から水が供給される。タンク６０に供給された水は、冷水配管６１ｂによりヒートポンプユニット５３の水熱交換器５６に供給される。
【００８２】
ヒートポンプユニット５３では、ファン５５ａにより空気熱交換器５５に大気が供給され、冷媒配管５７を流れる冷媒ガスとの間で熱交換が行われ、冷媒ガスの温度が上昇する。空気熱交換器５５で熱交換が行われた冷媒ガスは、圧縮機５８で圧縮されることで、温度がさらに上昇する。
【００８３】
そして、圧縮機５８で圧縮されて温度を上昇させた冷媒ガスは、水熱交換器５６に供給される。これにより、水熱交換器５６においては、大気との熱交換及び圧縮により温度が上昇した冷媒ガスと、貯湯タンクユニット５４から供給された水との間で熱交換が行われ、温水Ｉが生成される。この水熱交換器５６で熱交換された冷媒ガスは、膨張弁５９で膨張されて温度が低下し、再度空気熱交換器５５に供給される。
【００８４】
また、水熱交換器５６で熱交換されて生成された温水Ｉは、温水配管６１ａによりタンク６０に戻される。これにより、タンク６０は、上部側が温度が高く、下部側が温度の低い二層化した状態で温水Ｉと水が貯水される。タンク６０に貯水された温水Ｉは、取水配管６２により取水される。ここで、切換弁６２ｃにより、供給温水の温度が高い場合は高温部取水配管６２ａから温水Ｉが取られ、供給温水の温度が低い場合は中温部取水配管６２ｂから温水Ｉを取られる。
【００８５】
取水配管６２により取水された温水Ｉは、分岐給水配管６３ｂから供給される水と給湯混合弁６４で混合される。給湯混合弁６４で温水Ｉと水の混合比を切り換えることで、給湯配管６５から供給される温水Ｉの温度が調整される。もちろん、常温の水を給湯配管６５に送出することもできる。給湯配管６５から供給される温水Ｉ又は水は、浴室１０１、洗面脱衣所１０２及び台所１０３に分配される。これにより、給湯配管６５から分岐されたミスト給湯配管６５ａにより温水Ｉ又は水をミスト発生装置２に供給するようになされる。
【００８６】
＜空調リモコン、ミストリモコン＞
図１０は、ミストリモコン（ミスト操作部）７の操作面の構成例を示す正面図である。図１０に示すミストリモコン７は、第１動作モードとしての入浴ミスト運転を設定する入浴ミストボタン７ｂを備えている。このボタン７ｂに対応して、その上部には、当該運転モードの設定時に発光制御される発光素子７ｂ′が設けられている。
【００８７】
また、ミストリモコン７には、入浴ミスト運転中に、第２動作モードとしての弱ミスト運転を設定する弱ミストボタン７ｇを備えている。弱ミストボタン７ｇの上部には、弱ミスト運転中を示す発光素子７ｇ′が設けられている。さらに、弱ミストボタン７ｇの下方には、弱ミスト運転や入浴ミスト運転を停止する運転停止ボタン７ｄが備えられている。運転停止ボタン７ｄの上部には、運転停止中を示す発光素子７ｄ′が設けられている。
【００８８】
上述の入浴ミストボタン７ｂの右隣には、銀イオンミストモードを設定する銀イオンミストボタン７ｃを備えている。銀イオンミストボタン７ｃの上部には、銀イオンミスト運転中を示す発光素子７ｃ′が設けられている。いずれの発光素子７ｂ′、７ｃ′、７ｄ′、７ｇ′もＬＥＤ(Light Emitting Diode)から構成される。
【００８９】
また、このミストリモコン７は、銀イオンユニット２ｇの交換時期を発光で知らせるＬＥＤ等の発光素子７ｅと、その交換時期をブザー音で知らせるブザー７ｆとを備えている。この場合、発光素子７ｅは、銀イオンユニット２ｇの交換時期がくると連続発光あるいは点滅発光するように制御される。これに対して、ブザー７ｆは、例えば、銀イオンユニット２ｇの交換時期がきた後、銀イオンユニット２ｇから温水Ｉ又は水に銀イオンを溶出する運転モードが選択された場合にブザー音が出るように制御される。
【００９０】
図１１は、空調リモコン（主操作部）６の操作面の構成例を示す正面図である。図１１に示す空調リモコン６は、入浴ミスト運転及び運転停止を選択する入浴ミストボタン６ｂを有している。入浴ミストボタン６ｂは、上記したミストリモコン７の入浴ミストボタン７ｂに対応したボタンである。このボタン６ｂに対応して、当該モードの選択時に発光制御されるＬＥＤ等の発光素子６ｂ′が設けられている。
【００９１】
また、空調リモコン６は、弱ミスト運転及び運転停止を選択する弱ミストボタン６ｋを有している。弱ミストボタン６ｋは、上記したミストリモコン７の入浴ミストボタン７ｂに対応したボタンである。このボタン６ｋに対応して、当該モードの選択時に発光制御されるＬＥＤ等の発光素子６ｋ′が設けられている。
【００９２】
入浴ミストボタン６ｂの下方には、銀イオンミストモードにするか否かを選択する銀イオンミストボタン６ｃが設けられる。銀イオンミストボタン６ｃは、ミストリモコン７の銀イオンミストボタン７ｃに対応したボタンである。このボタン６ｃに対応して、モード選択時に発光制御されるＬＥＤ(Light Emitting Diode)等の発光素子６ｃ′が設けられている。
【００９３】
さらに、空調リモコン６は、衣類乾燥モードの運転及び運転停止を選択する衣類乾燥ボタン６ｄと、涼風モードの運転及び運転停止を選択する涼風ボタン６ｅと、暖房モードの運転及び運転停止を選択する暖房ボタン６ｆと、標準換気モードの運転、浴室乾燥モードの運転及びそれらの運転停止を選択する換気ボタン６ｇとを備えている。これらのボタン６ｄ〜６ｇに対応して、例えば運転時に発光制御されるＬＥＤ等の発光素子６ｄ′，６ｅ′，６ｆ′，６g1′，６g2′が設けられている。
【００９４】
また、空調リモコン６は、銀イオンユニット２ｇの交換時期を発光で知らせるＬＥＤ等の発光素子６ｈと、時刻、浴室温度、運転モード等を表示する、ＬＣＤ（液晶表示素子）やセグメントＬＥＤ等で構成される表示素子６ｉと、タイマーの時間設定等を行うためのアップダウンキー６ｊとを備えている。発光素子６ｈは、上述したミストリモコン７に備えられている発光素子７ｅに対応したものである。主操作部６で操作され指示される情報は、操作信号Ｓ６となって電源部ユニット２Ｂに出力される。
【００９５】
＜銀イオンユニットの交換時期の報知動作＞
この例では、ミストリモコン７の発光素子７ｅ及びブザー７ｆ、さらに空調リモコン６の発光素子６ｈにより、電磁弁ユニット２０１内に配された銀イオンユニット２ｇの交換時期が使用者に報知される。例えば、浴室空調装置３の図示しない制御部５Ａで、銀イオンユニット２ｇの取り付け時からの動作累積時間が管理されている。この制御部５Ａは、動作累積時間が、交換時期に相当する所定時間に達したか否かを常に判定し、動作累積時間が所定時間を越えるとき、交換時期であると判定する。
【００９６】
このように制御部５Ａで交換時期であると判定されるとき、この制御部５Ａ（図１２参照）の制御により、ミストリモコン７の発光素子７ｅ及び空調リモコン６の発光素子６ｈが連続発光あるいは点滅発光の状態となり、またミストリモコン７のブザー７ｆは、銀イオンユニット２ｇから温水Ｉ又は水に銀イオンを溶出する運転モード、例えば入浴ミスト（銀イオンミストオン）モード、弱ミストモード、換気標準（銀イオンミストオン）モード、浴室乾燥（銀イオンミストオン）モード、涼風（銀イオンミストオン）モード、衣類乾燥（銀イオンミストオン）モードのいずれかが選択された場合にブザー音を出力する。これにより、使用者は銀イオンユニット２ｇの交換時期を容易に知ることができる。
【００９７】
なお、銀イオンミストの噴出動作回数に基づいて、交換時期に達したか否かを判定（決定）してもよい。銀イオンミストの噴出動作回数とは、銀イオンミストボタン６ｃ，７ｃが押され銀イオンが溶出する運転モードが実行された回数や銀イオンユニット２ｇに駆動電圧を印加した回数であってもよく、他の方法であってもよい。
【００９８】
＜浴室空調装置及びミスト発生装置の制御系＞
図１２は、浴室空調装置３及びミスト発生装置２の制御系の構成例を示すブロック図である。  
図１２に示す浴室空調装置３は、ＣＰＵ(Central Processing Unit)を有する制御部５Ａを備えている。上述した空調リモコン６は、電気ケーブル６ａを介して、この浴室空調装置３の制御部５Ａに接続されている。この例で、空調リモコン６から制御部５Ａには、電気ケーブル６ａを介して、操作信号Ｓ６が出力される。制御部５Ａには、上述したように、吸込口３８に対応して取り付けられた、浴室１０１内の温度を検出するための温度検出センサ６９が接続される。温度検出センサ６９から制御部５Ａには、温度検出信号Ｓ６９が出力される。
【００９９】
この制御部５Ａには、上述したように、浴室空調装置３のフロントパネル２６に取り付けられた人体検出センサ６９Ａが接続される。人体検出センサ６９Ａから制御部５Ａには、人体検出信号Ｓ６９ａが出力される。この制御部５Ａには、浴室照明スイッチ６９Ｂから、このスイッチがオンされたか否かを示す信号Ｓ６９ｂが供給される。この制御部５Ａから、ファンモータ３６、ダンパモータ４０ｃ、ヒータ部３３及びイオン発生器４４には駆動電圧Ｖ３６、Ｖ４０ｃ、Ｖ３３及びＶ４４が各々供給される。
【０１００】
また、図１２に示す電源部ユニット２Ｂは、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２Ｃのモータを駆動するための直流電圧等を生成する。
【０１０１】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電磁弁ユニット２０１を構成する電磁弁２ｄ，２ｅ，２ｆを駆動する。この場合、電磁弁２ｄ，２ｅ，２ｆは、それぞれ、ＤＣ２４［Ｖ］の駆動電圧Ｖ２ｄ，Ｖ２ｅ，Ｖ２ｆが印加されることでバルブが開状態となされる。駆動電圧Ｖ２ｄ，Ｖ２ｅ，Ｖ２ｆ＝０［Ｖ］で電磁弁２ｄ，２ｅ，２ｆの各々のバルブが閉状態となされる。
【０１０２】
制御部２Ｂｃには、上述したように、電磁弁ユニット２０１に取り付けられた温度検出センサ２ｈが接続される。この例で、温度検出センサ２ｈから制御部２Ｂｃには温度検出信号Ｓ２ｈが出力される。制御部２Ｂｃは、温度検出センサ２ｈから出力される温度検出信号Ｓ２ｈや、動作モード設定時に操作信号Ｓ７に基づいて電磁弁２ｄ、電磁弁２ｅ及び電磁弁２ｆを開閉制御したり、銀イオンユニット２ｇの出力を制御する。
【０１０３】
例えば、制御部２Ｂｃは、入浴ミスト運転が設定されると、電磁弁２ｄ及び電磁弁２ｅを開状態にすると共に、電磁弁２ｆを閉状態にするようになされる。また、制御部２Ｂｃは、弱ミスト運転が設定されると、電磁弁２ｄ、電磁弁２ｅ及び電磁弁２ｆの何れも開状態にするようになされる。もちろん、制御部２Ｂｃでは、温度検出信号Ｓ２ｈを入力し、排水温度と噴出設定温度とを比較し、排水温度が噴出設定温度以上である場合は、電磁弁２ｆを閉じて排水動作を停止する。また、排水温度が噴出設定温度未満である場合は、排水温度が噴出設定温度となるまで、電磁弁２ｆを開いた状態で排水動作を継続し、排水温度が噴出設定温度と一致した時点で電磁弁２ｆの排水動作を停止するようになされる。
【０１０４】
上述したミストリモコン７は、電気ケーブル７ａを介して、この電源部ユニット２Ｂの制御部２Ｂｃに接続されている。ミストリモコン７から制御部２Ｂｃには電気ケーブル７ａを介して操作信号Ｓ７が出力される。この制御部２Ｂｃは、電磁弁駆動部２Ｂｂの動作を制御し、また電源部２Ｂａで生成される直流電圧を用いて、銀イオンユニット２ｇの銀イオン発生動作を制御したり、ノズルユニット２Ｃのノズル２ｍの方向を制御する。制御部２Ｂｃは、銀イオンユニット２ｇにイオン発生制御信号Ｓ２ｇを出力して銀イオンの発生を制御する。
【０１０５】
また、浴室空調装置３の制御部５Ａと電源部ユニット２Ｂの制御部２Ｂｃとは互いに接続され、浴室空調装置３とミスト発生装置２との連係動作が可能となされている。例えば、制御部５Ａから制御部２Ｂｃへ通信制御信号Ｓ５ａを出力して、空調リモコン６で指定された内容に基づいてミストサウナ運転を実行する。反対に、制御部２Ｂｃから制御部５Ａへ通信制御信号Ｓ５ａを出力して、ミストリモコン７で指定された内容に基づいて空調運転を実行するようにしてもよい。
【０１０６】
続いて、浴室ユニット１の動作例について説明する。この例で、浴室ユニット１の動作例に関して、入浴ミスト（銀イオンミストオン）モード、他の入浴ミスト（銀イオンミストオン）モード、入浴ミストモード、換気標準（銀イオンミストオン）モード、換気標準モード、浴室乾燥モード、暖房モード、涼風（銀イオンミストオン）モード、涼風モード及び衣類乾燥モードの１０項目に分けて説明をする。
【０１０７】
＜入浴ミスト（銀イオンミストオン）モードの動作＞
図１３及び図１４は、入浴ミスト（銀イオンミストオン）モードの動作例（その１、２）を示すフローチャートである。この動作例では、ミストリモコン７で、銀イオンミストボタン７ｃが押されて銀イオンミストオンとされ、その後に入浴ミストボタン７ｂが押されて入浴ミストオンとされるとき、あるいは空調リモコン６で、銀イオンミストボタン６ｃが押されて銀イオンミストオンとされ、その後に入浴ミストボタン６ｂが押されて入浴ミストオンとされるとき、入浴ミスト（銀イオンミストオン）モードとなり、このモードの動作が開始される。この入浴ミスト運転中に弱ミストボタン６ｋ又は７ｇが押されて弱ミストオンとされたとき、弱ミスト運転に移行するようになされる。
【０１０８】
これらを動作条件にして、図１３に示すフローチャートのステップＳＴ１では、銀イオンミストオンとされ、その後に入浴ミストオンとされることで、動作が開始される。次に、ステップＳＴ２で、浴室空調装置３のヒータ部３３に駆動電圧Ｖ３３が供給され、このヒータ部３３が加熱される。また、浴室空調装置３のファンモータ３６に駆動電圧Ｖ３６が供給され、ファン３５が回転される。この場合、ダンパ４０は全閉、つまり循環位置（図８Ａ参照）とされる。
【０１０９】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。次に、ステップＳＴ３で、ノズルユニット２Ｃが制御され、ノズル２ｍが浴槽１０１ｂ側に向くように回動される。これにより、人の頭にミストがかからないようにされる。
【０１１０】
次に、ステップＳＴ４で、排水処理が行われる。この場合、電磁弁ユニット２０１において、電磁弁２ｄ（電磁弁１）及び電磁弁２ｆ（電磁弁３）が開かれる（図２参照）。ヒートポンプ給湯装置４から給水配管２ａで供給される温水は、電磁弁２ｄ、銀イオンユニット２ｇ及び電磁弁２ｆを介して、ドレン配管２ｃに供給される（図１、図２参照）。
【０１１１】
さらに、ステップＳＴ５で、銀イオンユニット２ｇにイオン発生制御信号Ｓ２ｇが供給され、この銀イオンユニット２ｇから温水に銀イオンが溶出される。この場合、銀イオン濃度は、印加電圧の値、あるいは間欠的に電圧を印加する場合の印加時間の割合を制御することで、高濃度、例えば３００ｐｐｂに制御される。これにより、ドレン配管２ｃに供給される温水は高濃度の銀イオンが含まれたものとなり、ドレン管２ｃやドレンパン１０１ｃの抗菌が行われ、これらにおけるカビ菌等の菌の繁殖が効果的に防止される。
【０１１２】
次に、ステップＳＴ６で、電磁弁ユニット２０１内に配設された温度検出センサ２ｈの検出出力に基づいて、給水配管２ａを介して電磁弁ユニット２０１に供給される温水の温度が所定値以上、例えば３５゜以上となったか否か判定される。温度が所定値以上となった後に、ステップＳＴ７に進む。
【０１１３】
このステップＳＴ７では、ミスト発生処理が行われる。このように、電磁弁ユニット２０１に供給される温水の温度が所定値以上となった後にミスト発生処理が行われるようにすることで、浴室１０１中に存在する人が、ミストによって肌寒さを感じないようにされる。
【０１１４】
この場合、電磁弁ユニット２０１において、電磁弁２ｆは閉じられ、電磁弁２ｅが開かれる（図２参照）。この場合、ヒートポンプ給湯装置４から給水配管２ａで供給される温水は、電磁弁２ｄ、銀イオンユニット２ｇ及び電磁弁２ｅを介して、ノズル配管２ｂに供給される（図１、図２参照）。
【０１１５】
そして、ステップＳＴ８で、銀イオンユニット２ｇの印加電圧の値等が変更され、この銀イオンユニット２ｇから温水に溶出される銀イオンの濃度が、人体に影響のない濃度で、かつ抗菌作用のある低濃度、例えば１００ｐｐｂに制御される。これにより、ノズル配管２ｂからノズルユニット２Ｃの各ノズル２ｍに温水が供給され、浴室１０１内にミストとして噴出される。そして、この温水には銀イオンが含まれているので、浴室１０１の内壁、床面、さらに浴室空調装置３の風路の抗菌が行われ、これらにおけるカビ菌等の菌の繁殖が効果的に防止される。
【０１１６】
この入浴ミスト運転中に、例えば、ミスト利用者が弱ミストボタン６ｋ又は７ｇを押して弱ミスト運転を選択すると、ステップＳＴ９に移行して制御部２Ｂｃは弱ミスト運転が設定されたかを判別する。制御部２Ｂｃは、ミストリモコン７から操作信号Ｓ７を入力し、その操作信号Ｓ７による信号設定値と判別基準値とを比較して、弱ミスト運転が設定されたことを検出する。
【０１１７】
入浴ミスト運転中において、弱ミスト運転が設定された場合は、ステップＳＴ１０に移行して、制御部２Ｂｃは、電磁弁駆動部２Ｂｂを介して電磁弁２ｆを開状態となされる。これにより、電磁弁２ｄ、電磁弁２ｅ及び電磁弁２ｆの何れも開状態となされる。図４Ａに示した電磁弁ユニット２０１によれば、弱ミスト運転が設定されると、給湯用の電磁弁２ｄを開いたまま、排水用の電磁弁２ｆを開けることで、接続管２ｂ′からの温水Ｉが、配管２ｊ及び２ｋを通じて電磁弁２ｆを通じて排水される。
【０１１８】
このとき、電磁弁２ｅと共に電磁弁２ｆが開くことで、電磁弁２ｅへの温水Ｉの供給量が低減する。電磁弁２ｆを開くことで、銀イオンユニット２ｇで銀イオンが溶出された温水Ｉが配管２ｋ、電磁弁２ｆ及び接続部２ｃ′を通じてドレン配管２ｃ（図１参照）に供給される。これにより、浴室ユニット１から外部へ通じる下水配管を入浴ミスト運転時と同様の排水量で、抗菌作用のある銀イオンにより処理することができる。
【０１１９】
その後、ステップＳＴ１１に移行して、制御部２Ｂｃは弱ミスト運転が解除されたかを判別する。弱ミスト運転が解除された場合は、ステップＳＴ１２に移行して、制御部２Ｂｃは、電磁弁駆動部２Ｂｂを介して電磁弁２ｆを閉状態となされる。これにより、通常の入浴ミスト運転に戻るようになされる。その後、ステップＳＴ９に戻る。
【０１２０】
また、ステップＳＴ１１で弱ミスト運転が解除されない場合は、ステップＳＴ１３に移行する。ステップＳＴ１３では、弱ミストボタン７ｇ又は６ｋが押されて弱ミストオフとなったか、あるいは運転停止ボタン７ｄが押されて停止が指示されたか否かが判定される。なお、上述のステップＳＴ９で弱ミスト運転が設定されない場合は、図１４に示すステップＳＴ１４に移行する。
【０１２１】
ステップＳＴ１４では、入浴ミストボタン７ｂ又は６ｂ等が押されて入浴ミストオフとなったか、あるいは運転停止ボタン７ｄが押されて停止が指示されたか否かが判定される。入浴ミストオフとなったか、あるいは停止が指示されたときは、ステップＳＴ１５に進む。上述のステップＳＴ１３で弱ミストオフとなったか、あるいは停止が指示されたときは、ステップＳＴ１５に移行して、浴室空調装置３の動作が停止される。すなわち、浴室空調装置３のヒータ部３３及びファンモータ３６への通電が止められる。
【０１２２】
次に、ステップＳＴ１６で、銀イオンユニット２ｇへの通電が止められ、銀イオンユニット２ｇから温水Ｉへの銀イオンの溶出が停止される。そして、ステップＳＴ１７で、水抜き処理が行われる。この場合、電磁弁ユニット２０１において、電磁弁２ｄが閉じられ、電磁弁２ｆが開かれる（図２参照）。これにより、ノズル配管２ｂに残っている温水Ｉは、電磁弁２ｅ及び２ｆを介して、ドレン配管２ｃに供給される（図１、図２参照）。
【０１２３】
そして、ステップＳＴ１８で、水抜き処理に必要な所定時間、例えば３秒が経過したか否かが判定される。所定時間が経過したときは、ステップＳＴ１９に進む。このステップＳＴ１９では、停止処理が行われる。この場合、電磁弁ユニット２０１において、電磁弁２ｅ及び電磁弁２ｆが閉じられる（図２参照）。なおこのとき、ノズルユニット２Ｃも制御され、ノズル２ｍの向きが元の位置に戻される。この停止処理の後に、ステップＳＴ２０で、入浴ミスト（銀イオンミストオン）モードの一連の動作が終了する。
【０１２４】
上述の入浴ミスト（銀イオンミストオン）モードによれば、ノズルユニット２Ｃの各ノズル２ｍから銀イオンを含むミストを噴出する場合、ミスト噴出前、さらにミスト噴出後に、銀イオン濃度を例えば３００ｐｐｂとした温水Ｉをドレン配管２ｃに流すようにしているので、弱ミスト運転に移行する前に、ドレン配管２ｃやドレンパン１０１ｃの抗菌を行うことができ、カビ菌の繁殖などを抑制できる。
【０１２５】
＜入浴ミスト（銀イオンミストオン）モードの他の動作＞
図１５及び図１６は、入浴ミスト（銀イオンミストオン）モードの他の動作例（その１、２）を示すフローチャートである。  
図１３に示した入浴ミストモードでは、入浴ミストオフとなったか、あるいは停止が指示されたとき、ミスト発生装置２に関して、直ちに水抜き処理を行うものであったが、この動作例では、高濃度の銀イオンが含まれた温水Ｉをドレン管２ｃに流す排水処理を行ってから、水抜き処理に行うようになされる。もちろん、入浴ミスト運転中に、弱ミスト運転が設定できるようになされる。図１５に示すステップＳＴ１〜ＳＴ１４については、図１３に示したステップＳＴ１〜ＳＴ１４と同一符号を付しており、その処理内容は全く同様なのでその部分の詳細な説明は省略する。
【０１２６】
この例では、図１５に示したステップＳＴ１３で弱ミストオフとなったか、あるいは停止が指示されたとき、及び、ステップＳＴ１４で、入浴ミストボタン７ｂ又は６ｂ等が押されて入浴ミストオフとなったか、あるいは運転停止ボタン７ｄが押されて停止が指示されたとき、図１６に示すステップＳＴ１５′に移行する。
【０１２７】
ステップＳＴ１５′で浴室空調装置３の動作を停止させた後に、ステップＳＴ１６′に進む。このステップＳＴ１６′では、排水処理が行われる。この場合、電磁弁ユニット２０１において、電磁弁２ｅが閉じられ、電磁弁２ｆが開かれる（図２参照）。給湯装置４から給水配管２ａで供給される温水Ｉは、電磁弁２ｄ、銀イオンユニット２ｇ及び電磁弁２ｆを介して、ドレン配管２ｃに供給される（図１、図２参照）。
【０１２８】
次に、ステップＳＴ１７′で、銀イオンユニット２ｇの印加電圧の値等が変更され、この銀イオンユニット２ｇから温水Ｉに溶出される銀イオンの濃度が、再び高濃度である、例えば３００ｐｐｂに制御される。これにより、ドレン配管２ｃに供給される温水Ｉは高濃度の銀イオンが含まれたものとなり、ドレン配管２ｃやドレンパン１０１ｃの抗菌が再び行われ、これらにおけるカビ菌等の菌の繁殖が効果的に防止される。
【０１２９】
次に、ステップＳＴ１８′で、抗菌のための排水処理に必要な所定時間、例えば５秒が経過したか否かが判定される。所定時間が経過したときは、ステップＳＴ１９′に進み、銀イオンの発生が停止され、その後ステップＳＴ２０′で、水抜き処理が行われる。
【０１３０】
なお、このステップＳＴ２０′では、電磁弁ユニット２０１において、電磁弁２ｄが閉じられ、電磁弁２ｅが開かれ、ステップＳＴ１６′と異なる電磁弁制御となるが、結果的には電磁弁２ｅ及び電磁弁２ｆの双方が開かれた状態となり、ノズル配管２ｂに残っている温水Ｉが、電磁弁２ｅ及び２ｆを介して、ドレン配管２ｃに供給される（図１、図２参照）。
【０１３１】
＜入浴ミストモードの動作＞
図１７及び図１８は、入浴ミストモードの動作例（その１、２）を示すフローチャートである。この動作例では、銀イオンミストが選択されずに、ミストリモコン７で入浴ミストボタン７ｂが押されて入浴ミストオンとされるとき、あるいは空調リモコン６で入浴ミストボタン６ｂが押されて入浴ミストオンとされるとき、入浴ミストモードとなり、このモードの動作が開始される。この入浴ミスト運転中に弱ミストボタン６ｋ又は７ｇが押されて弱ミストオンとされたとき、弱ミスト運転に移行するようになされる。
【０１３２】
これらを動作条件にして、図１７に示すフローチャートのステップＳＴ２１では、入浴ミストオンとされることで、動作が開始される。次に、ステップＳＴ２２で、浴室空調装置３のヒータ部３３に駆動電圧Ｖ３３が供給され、このヒータ部３３が加熱される。また、浴室空調装置３のファンモータ３６に駆動電圧Ｖ３６が供給され、ファン３５が回転される。この場合、ダンパ４０は全閉、つまり循環位置（図８Ａ参照）とされる。
【０１３３】
この場合、ファン部３２において吸込口３８から吹出口４１への循環風路４３
ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される。次に、ステップＳＴ２３で、ノズルユニット２Ｃが制御され、ノズル２ｍが浴槽１０１ｂ側に向くように回動される。これにより、人の頭にミストがかからないようにされる。
【０１３４】
次に、ステップＳＴ２４で、排水処理が行われる。この場合、電磁弁ユニット２０１において、電磁弁２ｄ（電磁弁１）及び電磁弁２ｆ（電磁弁３）が開かれる（図２参照）。ヒートポンプ給湯装置４から給水配管２ａで供給される温水Ｉは、電磁弁２ｄ、銀イオンユニット２ｇ及び電磁弁２ｆを介して、ドレン配管２ｃに供給される（図１、図２参照）。
【０１３５】
次に、ステップＳＴ２５で、電磁弁ユニット２０１内に配設された温度検出センサ２ｈの検出出力に基づいて、給水配管２ａを介して電磁弁ユニット２０１に供給される温水Ｉの温度が所定値以上、例えば３５゜以上となったか否か判定される。温度が所定値以上となった後に、ステップＳＴ２６に進む。
【０１３６】
このステップＳＴ２６では、ミスト発生処理が行われる。このように、電磁弁ユニット２０１に供給される温水Ｉの温度が所定値以上となった後にミスト発生処理が行われるようにすることで、浴室１０１中に存在する人が、ミストによって肌寒さを感じないようにされる。
【０１３７】
この場合、電磁弁ユニット２０１において、電磁弁２ｆ（電磁弁３）は閉じられ、電磁弁２ｅ（電磁弁２）が開かれる（図２参照）。この場合、給湯装置４から給水配管２ａで供給される温水Ｉは、電磁弁２ｄ、銀イオンユニット２ｇ及び電磁弁２ｅを介して、ノズル配管２ｂに供給される（図１、図２参照）。これにより、ノズル配管２ｂからノズルユニット２Ｃの各ノズル２ｍに温水Ｉが供給され、浴室１０１内にミストとして噴出される。
【０１３８】
この入浴ミスト運転中に、例えば、ミスト利用者が弱ミストボタン６ｋ又は７ｇを押して弱ミスト運転を選択すると、ステップＳＴ２７に移行して制御部２Ｂｃは弱ミスト運転が設定されたかを判別する。制御部２Ｂｃは、ミストリモコン７から操作信号Ｓ７を入力し、その操作信号Ｓ７による信号設定値と判別基準値とを比較して、弱ミスト運転が設定されたことを検出する。
【０１３９】
入浴ミスト運転中において、弱ミスト運転が設定された場合は、ステップＳＴ２８に移行して、制御部２Ｂｃは、電磁弁駆動部２Ｂｂを介して電磁弁２ｆを開状態となされる。これにより、電磁弁２ｄ、電磁弁２ｅ及び電磁弁２ｆの何れも開状態となされる。図４Ａに示した電磁弁ユニット２０１によれば、弱ミスト運転が設定されると、給湯用の電磁弁２ｄを開いたまま、排水用の電磁弁２ｆを開けることで、接続管２ｂ′からの温水Ｉが、配管２ｊ及び２ｋを通じて電磁弁２ｆを通じて排水される。
【０１４０】
このとき、電磁弁２ｅと共に電磁弁２ｆが開くことで、電磁弁２ｅへの温水Ｉの供給量が低減する。電磁弁２ｆを開くことで、銀イオンユニット２ｇで銀イオンが溶出された温水が配管２ｋ、電磁弁２ｆ及び接続部２ｃ′を通じてドレン配管２ｃ（図１参照）に供給される。これにより、浴室ユニット１から外部へ通じる下水配管を入浴ミスト運転時と同様の排水量で、抗菌作用のある銀イオンにより処理することができる。
【０１４１】
その後、ステップＳＴ２９に移行して、制御部２Ｂｃは弱ミスト運転が解除されたかを判別する。弱ミスト運転が解除された場合は、ステップＳＴ３０に移行して、制御部２Ｂｃは、電磁弁駆動部２Ｂｂを介して電磁弁２ｆを閉状態となされる。これにより、通常の入浴ミスト運転に戻るようになされる。その後、ステップＳＴ２７に戻る。
【０１４２】
また、ステップＳＴ２９で弱ミスト運転が解除されない場合は、ステップＳＴ３１に移行する。ステップＳＴ３１では、弱ミストボタン７ｇ又は６ｋが押されて弱ミストオフとなったか、あるいは運転停止ボタン７ｄが押されて停止が指示されたか否かが判定される。なお、上述のステップＳＴ２７で弱ミスト運転が設定されない場合は、ステップＳＴ３２に移行する。
【０１４３】
ステップＳＴ３２では、入浴ミストボタン７ｂ又は６ｂが押されて入浴ミストオフとなったか、あるいは運転停止ボタン７ｄが押されて停止が指示されたか否かが判定される。入浴ミストオフとなったか、あるいは停止が指示されたときは、ステップＳＴ３３に進む。このステップＳＴ３３では、浴室空調装置３の動作が停止される。すなわち、浴室空調装置３のヒータ部３３及びファンモータ３６への通電が止められる。
【０１４４】
次に、ステップＳＴ３４で、水抜き処理が行われる。この場合、電磁弁ユニット２０１において、電磁弁２ｄ（電磁弁１）が閉じられ、電磁弁２ｆ（電磁弁３）が開かれる（図２参照）。これにより、ノズル配管２ｂに残っている温水Ｉは、電磁弁２ｅ及び２ｆを介して、ドレン配管２ｃに供給される（図１、図２参照）
次に、ステップＳＴ３５で、水抜き処理に必要な所定時間、例えば３秒が経過したか否かが判定される。所定時間が経過したときは、ステップＳＴ３６に進む。このステップＳＴ３６では、停止処理が行われる。この場合、電磁弁ユニット２０１において、電磁弁２ｅ（電磁弁２）及び電磁弁２ｆ（電磁弁３）が閉じられる（図２参照）。なおこのとき、ノズルユニット２Ｃも制御され、ノズル２ｍの向きが元の位置に戻される。この停止処理の後に、ステップＳＴ３７で、入浴ミストモードの一連の動作が終了する。
【０１４５】
なお、ステップＳＴ２３でノズルユニット２Ｃが制御され、ノズル２ｍが浴槽１０１ｂ側に回動するようにしたが、ノズル２ｍが洗い場１０１ｅ側に回動するようにして、入浴者が直接ミストを浴びるようにしてもよい。さらに、図示しない操作ボタンにより、入浴者が浴槽１０１ｂ側と洗い場１０１ｅ側とを選択できるようにしてもよい。
【０１４６】
＜換気標準（銀イオンミストオン）モードの動作＞
図１９は、換気標準（銀イオンミストオン）モードの動作例を示すフローチャートである。  
この動作例では、空調リモコン６で、銀イオンミストボタン６ｃが押されて銀イオンミストオンとされ、その後に換気ボタン６ｇが押されて換気標準オンとされるとき、換気標準（銀イオンミストオン）モードとなり、このモードの動作が開始される。
【０１４７】
これらを動作条件にして、図１９に示すフローチャートのステップＳＴ４１では、銀イオンミストオンとされ、その後に換気標準オンとされることで、動作が開始される。次に、ステップＳＴ４２で、浴室空調装置３のファンモータ３６に駆動電圧Ｖ３６が供給され、ファン３５が回転される。この場合、ダンパ４０を全開、つまり換気位置（図８Ｂ参照）とされる。
【０１４８】
この場合、ファン部３２において吸込口３８から排気口４２への換気風路４３ｂが形成されるので、吸込口３８から吸い込まれた空気は、換気風路４３ｂ及び排気口４２を通り、さらに、図１に示す排気ダクト８を通って排気グリル８ａから屋外へ排気される（換気運転）。これにより、浴室１０１内の湯気や湿気が排気される。
【０１４９】
次に、ステップＳＴ４３で、ミスト発生装置２において、銀イオンが溶出された温水Ｉがノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、人体に影響のない濃度で、かつ抗菌作用のある低濃度、例えば１００ｐｐｂに制御される。
【０１５０】
このステップＳＴ４３でミストを噴出するまでの動作は、例えば図１３に示した入浴ミストモードのステップＳＴ３からステップＳＴ８までの動作に対応している。このように、換気運転が行われている状態で、浴室１０１内に銀イオンが含まれたミストが噴出される。この場合、このミストが換気風路４３ｂ及び排気口４２を通り、さらに、排気ダクト８を通って排気グリル８ａから屋外へ排気されるため、換気経路の抗菌が行われ、これらにおけるカビ菌等の菌の繁殖が効果的に防止される。
【０１５１】
次に、ステップＳＴ４４で、所定時間が経過したか否かが判定される。所定時間が経過したときは、ステップＳＴ４５に進む。このステップＳＴ４５では、ミスト発生装置２におけるミスト噴出が停止される。このステップＳＴ４５でミストの噴出を停止するまでの動作は、例えば図１３に示した入浴ミストモードのステップＳＴ１６からステップＳＴ１９までの動作に対応している。
【０１５２】
次に、ステップＳＴ４６で、タイマー設定時間が経過したか否かが判定される。このタイマー設定時間は、例えば空調リモコン６のアップダウンキー６ｊによりユーザが任意に設定できる。設定時間が経過したときは、ステップＳＴ４７で、浴室空調装置３のファン換気運転の動作が停止され、その後に、ステップＳＴ４８で、換気標準（銀イオンミストオン）モードの一連の動作が終了する。上述の換気標準（銀イオンミストオン）モードによれば、銀イオンによって換気風路４３ｂの抗菌を行うことができ、カビ菌等の菌の繁殖を効果的に防止できる。
【０１５３】
＜換気標準モードの動作＞
図２０は、換気標準モードの動作例を示すフローチャートである。この動作例では、空調リモコン６で、換気ボタン６ｇが押されて換気標準オンとされるとき、換気標準モードとなり、このモードの動作が開始される。
【０１５４】
これらを動作条件にして、図２０に示すフローチャートのステップＳＴ５１では、換気標準オンとされることで、動作が開始される。次に、ステップＳＴ５２で、浴室空調装置３のファンモータ３６に駆動電圧Ｖ３６が供給され、ファン３５が回転される。この場合、ダンパ４０を全開、つまり換気位置（図８Ｂ参照）とされる。
【０１５５】
この場合、ファン部３２において吸込口３８から排気口４２への換気風路４３ｂが形成されるので、吸込口３８から吸い込まれた空気は、換気風路４３ｂ及び排気口４２を通り、さらに、図１に示す排気ダクト８を通って排気グリル８ａから屋外へ排気される（換気運転）。これにより、浴室１０１内の湯気や湿気が排気される。
【０１５６】
次に、ステップＳＴ５３で、タイマー設定時間が経過したか否かが判定される。このタイマー設定時間は、例えば空調リモコン６のアップダウンキー６ｊによりユーザが任意に設定できる。設定時間が経過したときは、ステップＳＴ５４で、浴室空調装置３のファン換気運転の動作が停止され、その後に、ステップＳＴ５５で、換気標準モードの一連の動作が終了する。
【０１５７】
＜浴室乾燥（銀イオンミストオン）モードの動作＞
図２１は、浴室乾燥（銀イオンミストオン）モードの動作例を示すフローチャートである。この動作例では、空調リモコン６で、銀イオンミストボタン６ｃが押されて銀イオンミストオンとされ、その後に換気ボタン６ｇが押されて浴室乾燥オンとされるとき、浴室乾燥（銀イオンミストオン）モードとなり、このモードの動作が開始される。
【０１５８】
これらを動作条件にして、図１７に示すフローチャートのステップＳＴ６１では、銀イオンミストオンとされ、その後に浴室乾燥オンとされることで、動作が開始される。次に、ステップＳＴ６２で、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０１５９】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１６０】
次に、ステップＳＴ６３で、ミスト発生装置２において、銀イオンが溶出された温水Ｉがノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、高濃度、例えば３００ｐｐｂに制御される。
【０１６１】
このステップＳＴ６３でミストを噴出するまでの動作は、例えば図１３に示した入浴ミストモードのステップＳＴ３からステップＳＴ８の動作に対応している。このように、循環換気運転が行われている状態で、浴室１０１内に銀イオンが含まれたミストが噴出される。この場合、このミストにより、浴室１０１の内壁、床面の抗菌が行われ、これらにおけるカビ菌等の菌の繁殖が効果的に防止される。
【０１６２】
次に、ステップＳＴ６４で、浴室照明スイッチ６９Ｂがオンとされたか否かが判定され、ステップＳＴ６５で、人体検出センサ６９Ａにより人体が検出されたか否かが判定される。浴室照明スイッチ６９Ｂがオンとされておらず、また人体検出センサ６９Ａにより人体が検出されていないときは、ステップＳＴ６６に進む。
【０１６３】
上述のステップＳＴ６４で浴室照明スイッチ６９Ｂがオンとされているとき、あるいはステップＳＴ６５で人体が検出されたとき、ステップＳＴ６７に進む。このステップＳＴ６７では、銀イオンユニット２ｇの印加電圧の値等が変更され、この銀イオンユニット２ｇから温水Ｉに溶出される銀イオンの濃度が、人体に影響のない濃度で、かつ抗菌作用のある低濃度、例えば１００ｐｐｂに制御される。
【０１６４】
そして、このステップＳＴ６７の処理の後、ステップＳＴ６８で、浴室照明スイッチ６９Ｂがオンとされたか否かが判定され、ステップＳＴ６９で、人体検出センサ６９Ａにより人体が検出されたか否かが判定される。少なくとも、浴室照明スイッチ６９Ｂがオンとされているか、あるいは人体検出センサ６９Ａにより人体が検出されているときは、ステップＳＴ６８に戻り、これらの判定が繰り返し行われる。
【０１６５】
しかし、浴室照明スイッチ６９Ｂがオンとされておらず、また人体検出センサ６９Ａにより人体が検出されていないときは、ステップＳＴ６３に戻り、銀イオンユニット２ｇの印加電圧の値等が変更され、この銀イオンユニット２ｇから温水Ｉに溶出される銀イオンの濃度が、再び高濃度、例えば３００ｐｐｂに制御される。
【０１６６】
このように、浴室照明スイッチ６９Ｂがオンとされ、浴室１０１内に人がいるおそれがあるとき、あるいは人体検出センサ６９Ａで人体が検出され、浴室１０１内に人がいるとき、ミストとして噴出される温水Ｉにおける銀イオンの濃度が３００ｐｐｂから１００ｐｐｂとされるので、浴室１０１内にいる人の人体に影響を与えることを防止でき、また浴室１０１内に人がいないときは銀イオン濃度を高いままとしているので、浴室１０１の内壁、床面の抗菌作用を充分に高めることができる。
【０１６７】
ステップＳＴ６６では、所定時間が経過したか否かが判定される。所定時間が経過していないときは、ステップＳＴ６４に戻り、一方所定期間が経過したときは、ステップＳＴ７０に進む。このステップＳＴ７０では、ミスト発生装置２におけるミスト噴出が停止される。このステップＳＴ７０でミストの噴出を停止するまでの動作は、例えば図１３に示した入浴ミストモードのステップＳＴ１６からステップＳＴ１９までの動作に対応している。
【０１６８】
次に、ステップＳＴ７１で、浴室空調装置３が、循環換気運転を行うと共に、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制する効果が増すことになる。
【０１６９】
次に、ステップＳＴ７２で、タイマー設定時間が経過したか否かが判定される。このタイマー設定時間は、例えば空調リモコン６のアップダウンキー６ｊによりユーザが任意に設定できる。設定時間が経過したときは、ステップＳＴ７３で、浴室空調装置３の循環換気運転、イオン発生の動作が停止され、その後に、ステップＳＴ７４で、浴室乾燥（銀イオンミストオン）モードの一連の動作が終了する。
【０１７０】
なお、人検出手段による人の検出は、ステップＳＴ６８の浴室照明スイッチ６９及びステップＳＴ６９の人体検出センサ６９Ａの双方を用いて行っているが、浴室照明スイッチ６９、人体検出センサ６９Ａのどちらか片方のみを用いて行ってもよい。また、人検出手段は、人が入っていることを直接的もしくは間接的に検出できるものであれば、浴室ドアの開閉を検知するドア開閉センサ等でもよく、浴室照明スイッチ６９や人体検出センサ６９Ａに限られるものではない。
【０１７１】
また、ステップＳＴ７１及びステップＳＴ６２でダンパ４０を循環換気位置（図８Ｃ参照）としたが、ステップＳＴ７１のみを循環位置（図８Ａ参照）としてもよい。さらに、ステップＳＴ６２を設けずに、浴室空調装置３のファン部３２を駆動せずに、ステップＳＴ６３でミスト発生装置２から銀イオンを含むミストを噴出するようにしてもよい。
【０１７２】
＜浴室乾燥モードの動作＞
図２２は、浴室乾燥モードの動作例を示すフローチャートである。この動作例では、空調リモコン６で、換気ボタン６ｇが押されて浴室乾燥オンとされるとき、浴室乾燥モードとなり、このモードの動作が開始される。
【０１７３】
これらを動作条件にして、図２２に示すフローチャートのステップＳＴ８１では、浴室乾燥オンとされることで、動作が開始される。次に、ステップＳＴ８２で、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０１７４】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１７５】
また、このステップＳＴ８２で、イオン発生器４４から前述の正イオンと負イオンが発生される。このように、循環換気運転が行われている状態で、浴室１０１内に正イオンと負イオンが放出されるので、浴室１０１の内壁、床面のカビの発生を抑制できる。
【０１７６】
次に、ステップＳＴ８３で、タイマー設定時間が経過したか否かが判定される。このタイマー設定時間は、例えば空調リモコン６のアップダウンキー６ｊによりユーザが任意に設定できる。設定時間が経過したときは、ステップＳＴ８４で、浴室空調装置３の循環換気運転、イオン発生の動作が停止され、その後に、ステップＳＴ８５で、浴室乾燥モードの一連の動作が終了する。
【０１７７】
上述の浴室乾燥（銀イオンミストオン）モードによれば、銀イオンによって浴室１０１の内壁、床面の抗菌を行うことができ、これらにおけるカビ菌等の菌の繁殖が効果的に防止できる。しかも、浴室照明スイッチ６９Ｂがオンとされ、浴室１０１内に人がいるおそれがあるとき、あるいは人体検出センサ６９Ａで人体が検出され、浴室１０１内に人がいるとき、ミストとして噴出される温水Ｉにおける銀イオンの濃度が３００ｐｐｂから１００ｐｐｂとされるので、浴室１０１内にいる人の人体に影響を与えることを防止でき、また浴室１０１内に人がいないときは浴室１０１の内壁、床面の抗菌作用を充分に高めることができる。
【０１７８】
＜暖房モードの動作＞
図２３は、暖房モードの動作例を示すフローチャートである。この動作例では、空調リモコン６で、暖房ボタン６ｆが押されて暖房オンとされるとき、暖房モードとなり、このモードの動作が開始される。
【０１７９】
これらを動作条件にして、図２３に示すフローチャートのステップＳＴ９１では、暖房オンとされることで、動作が開始される。次に、ステップＳＴ９２で、浴室空調装置３のヒータ部３３に駆動電圧Ｖ３３が供給され、このヒータ部３３が加熱される。また、浴室空調装置３のファンモータ３６に駆動電圧Ｖ３６が供給され、ファン３５が回転される。この場合、ダンパ４０は全閉、つまり循環位置（図８Ａ参照）とされる。
【０１８０】
この場合、ファン部３２において吸込口３８から吹出口４１への循環風路４３ａが形成されるので、吸込口３８から吸い込まれた空気は、循環風路４３ａを通り、ヒータ部３３で暖められて、吹出口４１からフロントパネル２６の吹出グリル４６を介して浴室１０１内に吹き出される（循環運転）。これにより、浴室１０１内が暖められる。
【０１８１】
次に、ステップＳＴ９３で、タイマー設定時間が経過したか否かが判定される。このタイマー設定時間は、例えば空調リモコン６のアップダウンキー６ｊによりユーザが任意に設定できる。設定時間が経過したときは、ステップＳＴ９４で、浴室空調装置３の動作が停止される。すなわち、浴室空調装置３のヒータ部３３及びファンモータ３６への通電が止められる。その後に、ステップＳＴ９５で、暖房モードの一連の動作が終了する。
【０１８２】
なお、詳細説明は省略するが、銀イオンミストオンとした後に、暖房オンとするとき、上述した換気標準（銀イオンミストオン）モード等と同様に、浴室１０１内に、銀イオンが含まれた温水Ｉによるミストが噴出されるようにしてもよい。これにより、浴室１０１内の抗菌効果が得られる。
【０１８３】
＜涼風（銀イオンミストオン）モードの動作＞
図２４は、涼風（銀イオンミストオン）モードの動作例を示すフローチャートである。この動作例では空調リモコン６で、銀イオンミストボタン６ｃが押されて銀イオンミストオンとされ、その後に涼風ボタン６ｅが押されて涼風オンとされるとき、涼風（銀イオンミストオン）モードとなり、このモードの動作が開始される。このモードは第２の運転モードを構成している。
【０１８４】
これらを動作条件にして、図２４に示すフローチャートのステップＳＴ１０１では、銀イオンミストオンとされ、その後に涼風オンとされることで、動作が開始される。次に、ステップＳＴ１０２で、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０１８５】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示す排気ダクト８を通って排気グリル８ａから屋外へ排気される（循環換気運転）。これにより、浴室１０１内の空気を循環させながら、浴室１０１内の湯気や湿気が排気される。
【０１８６】
次に、ステップＳＴ１０３で、ミスト発生装置２においては、銀イオンが溶出された温水Ｉがノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、人体に影響のない濃度で、かつ抗菌作用のある低濃度、例えば１００ｐｐｂに制御される。
【０１８７】
このステップＳＴ１０５でミストを噴出するまでの動作は、例えば図１３に示した入浴ミストモードのステップＳＴ３からステップＳＴ８までの動作に対応している。
【０１８８】
このように、循環換気運転が行われている状態で、浴室１０１内に銀イオンが含まれたミストが噴出される。この場合、このミストが循環風路４３ａ及び換気風路４３ｂを通るため、これらの風路の抗菌が行われる。
【０１８９】
次に、ステップＳＴ１０４で、所定時間が経過したか否かが判定される。所定時間が経過したときは、ステップＳＴ１０５に進む。このステップＳＴ１０５では、ミスト発生装置２におけるミスト噴出が停止される。このステップＳＴ１０５でミストの噴出を停止するまでの動作は、例えば図１３に示す入浴ミストモードのステップＳＴ１１からステップＳＴ１４までの動作に対応している。
【０１９０】
次に、ステップＳＴ１０６で、タイマー設定時間が経過したか否かが判定される。このタイマー設定時間は、例えば空調リモコン６のアップダウンキー６ｊによりユーザが任意に設定できる。設定時間が経過したときは、ステップＳＴ１０７で、浴室空調装置３の循環換気運転の動作が停止され、その後に、ステップＳＴ１０８で、涼風（銀イオンミストオン）モードの一連の動作が終了する。
【０１９１】
なお、ステップＳＴ１０２でダンパ４０を循環換気位置（図８Ｃ参照）としたが、循環位置（図８Ａ参照）としてもよい。さらに、浴室空調装置３のファン部３２を駆動せずに、ステップＳＴ１０５のミスト噴霧停止後、又はミスト噴霧途中に、ファン循環換気運転又はファン循環運転を行うようにしてもよい。上述の涼風（銀イオンミストオン）モードによれば、銀イオンを含むミストが循環風路４３ａ及び換気風路４３ｂを通るため、これらの風路の抗菌を効果的に行うことができる。
【０１９２】
＜涼風モードの動作＞
図２５は、涼風モードの動作例を示すフローチャートである。この動作例では、空調リモコン６で、涼風ボタン６ｅが押されて涼風オンとされるとき、涼風モードとなり、このモードの動作が開始される。
【０１９３】
これらを動作条件にして、図２５に示すフローチャートのステップＳＴ１１１では、銀イオンミストオンとされ、その後に涼風オンとされることで、動作が開始される。次に、ステップＳＴ１１２で、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０１９４】
この場合、ファン部３２において吸込口３８から吹出口４１への循環風路４３ａ及び吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出され、その他は換気風路４３ｂ及び排気口４２を通り、さらに、図１に示した排気ダクト８を通って排気グリル８ａから屋外へ排気される（循環換気運転）。これにより、浴室１０１内の空気を循環させながら、浴室１０１内の湯気や湿気が排気される。
【０１９５】
次に、ステップＳＴ１１３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１１４で、浴室空調装置３の循環換気運転の動作が停止され、その後に、ステップＳＴ１１５で、涼風モードの一連の動作が終了する。
【０１９６】
＜衣類乾燥（銀イオンミストオン）モードの動作＞
図２６は、衣類乾燥（銀イオンミストオン）モードの動作例を示すフローチャートである。この動作例では、空調リモコン６で、銀イオンミストボタン６ｃが押されて銀イオンミストオンとされ、その後に衣類乾燥ボタン６ｄが押されて衣類乾燥オンとされるとき、衣類乾燥（銀イオンミストオン）モードとなり、このモードの動作が開始される。
【０１９７】
これらを動作条件にして、図２６に示すフローチャートのステップＳＴ１２１では、銀イオンミストオンとされ、その後に衣類乾燥オンとされることで、動作が開始される。次に、ステップＳＴ１２２で、浴室空調装置３のヒータ部３３に駆動電圧Ｖ３３が供給され、このヒータ部３３が加熱される。また、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０１９８】
この場合、ファン部３２において吸込口３８から吹出口４１への循環風路４３ａ及び吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂ及び排気口４２を通り、さらに、図１に示す排気ダクト８を通って排気グリル８ａから屋外へ排気される（循環換気運転）。これにより、浴室１０１内の空気を循環させながら、浴室１０１内の湿気が排気され、衣類の乾燥が行われる。
【０１９９】
次に、ステップＳＴ１２３で、ミスト発生装置２において、銀イオンが溶出された温水Ｉがノズルユニット２Ｃの各ノズル２ｍに供給され、浴室１０１内にミストとして噴出される。この場合、銀イオン濃度は、印加電圧の値、あるいは間欠的に電圧を印加する場合の印加時間の割合を制御することで、高濃度、例えば３００ｐｐｂに制御される。なおこの場合、ミストが衣類にかかるように、ノズル２ｍの向きが衣類に向くように、ノズルユニット２Ｃの回動制御が行われる。
【０２００】
このステップＳＴ４３でミストを噴出するまでの動作は、例えば図１３に示す入浴ミストモードのステップＳＴ５及びステップＳＴ７の動作に対応している。
【０２０１】
このように、ヒータオン、かつ循環換気運転が行われている状態で、浴室１０１内に銀イオンが含まれたミストが噴出される。これにより、衣類に銀イオンが含まれたミストがかかり、これらの衣類の防菌がなされ、着衣時の臭いの発生が抑えられる。
【０２０２】
次に、ステップＳＴ１２４で、所定時間が経過したか否かが判定される。所定時間が経過したときは、ステップＳＴ１２５に進む。このステップＳＴ１２５では、ミスト発生装置２におけるミスト噴出が停止される。このステップＳＴ１２５でミストの噴出を停止するまでの動作は、例えば図１３に示した入浴ミストモードのステップＳＴ１６からステップＳＴ１９までの動作に対応している。
【０２０３】
次に、ステップＳＴ１２６で、タイマー設定時間が経過したか否かが判定される。このタイマー設定時間は、例えば空調リモコン６のアップダウンキー６ｊによりユーザが任意に設定できる。設定時間が経過したときは、ステップＳＴ１２７で、浴室空調装置３の循環換気運転の動作が停止され、その後に、ステップＳＴ１２８で、衣類乾燥（銀イオンミストオン）モードの一連の動作が終了する。
【０２０４】
なお、ステップＳＴ１２２でダンパ４０を循環換気位置（図８Ｃ参照）としたが、循環位置（図８Ａ参照）としてもよい。さらに、浴室空調装置３のファン部３２を駆動せずに、ステップＳＴ１２５のミスト噴霧停止後又はミスト噴霧途中にファン循環換気運転又はファン循環運転を行うようにしてもよい。上述の衣類乾燥（銀イオンミストオン）モードによれば、衣類に銀イオンが含まれたミストがかかることから、これらの衣類の防菌を行うことができ、着衣時の臭いの発生が抑制できる。
【０２０５】
＜衣類乾燥モードの動作＞
図２７は、衣類乾燥モードの動作例を示すフローチャートである。この動作例では、空調リモコン６で、衣類乾燥ボタン６ｄが押されて衣類乾燥オンとされるとき、衣類乾燥モードとなり、このモードの動作が開始される。
【０２０６】
これらを動作条件にして、図２７に示すフローチャートのステップＳＴ１３１では、衣類乾燥オンとされることで、動作が開始される。次に、ステップＳＴ１３２で、浴室空調装置３のヒータ部３３に駆動電圧Ｖ３３が供給され、このヒータ部３３が加熱される。また、浴室空調装置３のファンモータ３６に駆動電圧Ｖ３６が供給され、ファン３５が回転される。この場合、ダンパ４０は、循環位置と換気位置の中間位置、つまり循環換気位置（図８Ｃ参照）とされる。
【０２０７】
この場合、ファン部３２において吸込口３８から吹出口４１への循環風路４３ａ及び吸込口３８から排気口４２への換気風路４３ｂの双方が形成される。吸込口３８から吸い込まれた空気は、一部は循環風路４３ａを通り、ヒータ部３３で暖められて、吹出口４１からフロントパネル２６の吹出グリル４６を介して浴室１０１内に吹き出され、その他は換気風路４３ｂ及び排気口４２を通り、さらに、図１に示す排気ダクト８を通って排気グリル８ａから屋外へ排気される（循環換気運転）。これにより、浴室１０１内の空気を循環させながら、浴室１０１内の湿気が排気され、衣類の乾燥が行われる。
【０２０８】
次に、ステップＳＴ１３３で、タイマー設定時間が経過したか否かが判定される。このタイマー設定時間は、例えば空調リモコン６のアップダウンキー６ｊによりユーザが任意に設定できる。設定時間が経過したときは、ステップＳＴ１３４で、浴室空調装置３の循環換気運転の動作が停止され、その後に、ステップＳＴ１３５で、衣類乾燥モードの一連の動作が終了する。
【０２０９】
このように、第１の実施例としての浴室ユニット１によれば、本発明に係るミスト発生装置２が応用されるので、入浴ミスト運転中に、弱ミストモードが選択されると、電源部ユニット２Ｂが、電磁弁２ｄ及び電磁弁２ｅの開状態に加えて、電磁弁２ｆを開状態にする。この排水制御によって、ノズルユニット２Ｃへの温水Ｉの供給圧が低下し、ミストの噴出量が低下するようになる。
【０２１０】
従って、入浴ミストモードで、電磁弁２ｄを通過した温水Ｉの全部を電磁弁２ｅを介して噴出するのに対して、弱ミストモード時には、電磁弁２ｄを通過した温水Ｉの一部を電磁弁２ｆを介して排水できるので、入浴ミストモードに比べて電磁弁２ｅを通過する温水噴出量を低減できるようになる。
【０２１１】
また、弱ミスト運転時、銀イオンユニット２ｇにより温水Ｉに抗菌作用を有する銀イオンが溶出される。このとき、銀イオンユニット２ｇで銀イオンが溶出された温水が配管２ｋ、電磁弁２ｆ及び接続部２ｃ′を通じてドレン配管２ｃ（図１参照）に供給される。これにより、浴室ユニット１から外部へ通じる下水配管を入浴ミスト運転時と同様の排水量で、抗菌作用のある銀イオンにより処理することができる。浴室１０１内の内壁、床面の抗菌を行うことができるだけでなく、下水配管に至る管路の抗菌を行うことができ、浴室１０１外のカビ菌の繁殖などを良好に防止できる。
【０２１２】
これにより、ノズルユニット２Ｃの設備改変を伴うことなく、入浴ミスト運転と弱ミスト運転の二つの動作モードを実行できるようになる。しかも、シンプル構造を維持しつつ、弱ミストサウナを提供できるようになり、装置の大型化が抑えられるので、コスト高を抑えることができる。
【実施例２】
【０２１３】
図２８は、第２の実施例としてミスト発生装置２の電動・電磁弁ユニット２０２の構成例を示す正面図である。
【０２１４】
図２８に示す電動・電磁弁ユニット２０２は筐体２Ａ′を有している。この例で、筐体２Ａ′の一側面を開放すると、電磁弁ユニット内の電磁弁及び電動弁の配置が見られる構成となされている。
【０２１５】
筐体２Ａ′には、第１の実施例で説明した給湯配管２ａを接続するための接続部２ａ′と、同様にノズル配管２ｂを接続するための接続部２ｂ′と、ドレン配管２ｃを接続するための接続部２ｃ′とが取り付けられて固定されている。
【０２１６】
この例で、筐体２Ａ′の内側において、接続部２ａ′には給湯弁の一例となる給湯用の電磁弁２ｄが取り付けられ、給湯装置４からの温水Ｉを供給制御（ＯＮ−ＯＦＦ）するようになされる。この電磁弁２ｄには、第１の実施例と同様にして、温度検出センサ２ｈを挟んで銀イオンユニット２ｇが接続され、電磁弁２ｄから排出される温水Ｉに抗菌作用のある銀イオンを溶出するようになされる。銀イオンユニット２ｇから分岐された一方の配管２ｊには、噴出弁の一例となるミストユニット用の電磁弁２ｅが取り付けられ、温水Ｉをノズルユニット２Ｃへ供給制御（ＯＮ−ＯＦＦ）するようになされる。電磁弁２ｅの下流側（他端）は接続部２ｂ′に取り付けられる。
【０２１７】
電磁弁２ｅよりも低い位置には、第１の実施例と異なり、排水弁の他の一例となる流量可変型の電動弁２ｐが配設されると共に、銀イオンユニット２ｇから分岐された他方の配管２ｋに取り付けられ、弱ミスト運転時、水や残水等の流量を調整して排出するようになされる。ここにいう水には、温水Ｉを含むものである。電動弁２ｐの下流側（他端）は接続部２ｃ′に取り付けられる。つまり、接続部２ａ′には電磁弁２ｄの一端が接続され、この電磁弁２ｄの他端には、温度検出センサ２ｈ、銀イオンユニット２ｇ及び配管２ｊを介して電磁弁２ｅの一端が接続される。この電磁弁２ｅの他端は接続部２ｂ′に接続される。さらに、銀イオンユニット２ｇの配管２ｊから分岐された配管２ｋは、電動弁２ｐの一端に接続され、この電動弁２ｐの他端には接続部２ｃ′が接続される
上述の電動・電磁弁ユニット２０２の内部には、電磁弁２ｄ，２ｅ，２ｆの他に、温度検出センサ２ｈが配されている。温度検出センサ２ｈは、例えば、配管２ｊに取り付けられており、電磁弁２ｄを通過した後の配管２ｊを流れる水（温水Ｉ）の温度を検出して温度検出信号Ｓ２ｈを出力するようになされる。この例では、ミストサウナ運転開始時、電動弁２ｐの排出量調整動作に伴う排水温度Ｔ１が検出されて温度検出信号Ｓ２ｈ（温度検出情報）が温度センサ２ｈから図示しない電源部ユニット３０１へ出力される。
【０２１８】
図２９Ａ〜Ｃは、電動・電磁弁ユニット２０２の動作例を示す線図である。図２９Ａに示す電動・電磁弁ユニット２０２では、ミストサウナ運転中の状態であって、当該電磁弁ユニット内の電磁弁２ｄ及び２ｅが開いた状態となっている。電動弁２ｐは全閉状態となっている。
【０２１９】
図２９Ｂに示す電動・電磁弁ユニット２０２によれば、入浴ミスト運転中に、弱ミスト運転が設定された場合であって、電源部ユニット３０１の制御を受けて、当該電磁弁ユニット内の給湯用の電磁弁２ｄが開いた状態で、ミストユニット用の電磁弁２ｅが開いた状態に制御され、かつ、電動弁２ｐが温水Ｉの排水量を調整して排水するようになる。この制御では、給湯配管２ａ（図１参照）からの温水Ｉが接続部２ａ′から電磁弁２ｄ、銀イオンユニット２ｇ及び配管２ｋを通じて排水量調整用の電動弁２ｐに供給される場合である。
【０２２０】
図２９Ｃに示す電動・電磁弁ユニット２０２によれば、入浴ミスト運転や、弱ミスト運転等停止時において、全ての電磁弁２ｄ、２ｅ及び電動弁２ｐを閉じた状態となされる。次のミストサウナ運転を待機するようになされる。このように第１の実施例で説明した電磁弁２ｄをそのままで、電磁弁２ｆ（排水開閉電動弁）を流量調整可能な電動弁２ｐに変更すると、弱ミスト運転時、ミストノズルユニット２Ｃへの温水供給量を調整できるようになる。
【０２２１】
図３０は、第２の実施例に係る浴室空調装置３及びミスト発生装置２の制御系の構成例を示すブロック図である。  
図３０に示す制御系の構成例によれば、電動・電磁弁ユニット２０２には電源部ユニット３０１が接続される。電源部ユニット３０１は、電源部２Ｂａと、電磁弁駆動部２Ｂｂと、ＣＰＵを有する制御部２Ｂｃとを備えている。電源部２Ｂａは、家庭用交流電源、例えばＡＣ１００Ｖから、電磁弁を駆動するために使用する２４Ｖの直流電圧、ノズルユニット２Ｃのモータを駆動するための直流電圧等を生成する。
【０２２２】
電源部２Ｂａには電磁弁駆動部２Ｂｂ及び制御部２Ｂｃが接続され、制御部２Ｂｃによる制御の下、電源部２Ｂａで生成される２４Ｖの直流電圧を用いて、電動・電磁弁ユニット２０２を構成する電磁弁２ｄ，２ｅ及び電動弁２ｐを駆動する。この場合、電磁弁２ｄ，２ｅは、それぞれ、ＤＣ２４［Ｖ］の駆動電圧Ｖ２ｄ，Ｖ２ｅが印加されることで弁が開状態となされる。駆動電圧Ｖ２ｄ，Ｖ２ｅ＝０［Ｖ］で電磁弁２ｄ，２ｅの各々の弁が閉状態となされる。電動弁２ｐは制御部２Ｂｃによって直接制御される。例えば、電動弁２ｐで図示しないステッピングモータへパルス信号Ｓ２ｐを供給して調整弁の移動量を制御する。これにより、弱ミスト運転時の温水Ｉの排水量を調整できるようになる。
【０２２３】
制御部２Ｂｃには、電動・電磁弁ユニット２０２の配管２ｊに取り付けられた温度検出センサ２ｈが接続される。この例で、温度検出センサ２ｈから制御部２Ｂｃには温度検出信号Ｓ２ｈが出力される。制御部２Ｂｃでは、温度検出信号Ｓ２ｈを入力し、例えば、排水温度と噴出設定温度とを比較し、排水温度が噴出設定温度以下となる場合は、排水制御を実行する。なお、浴室空調装置３の制御については、第１の実施例と同様であるのでその説明を省略する。
【０２２４】
このように、第２の実施例としてのミスト発生装置２の電動・電磁弁ユニット２０２によれば、銀イオンユニット２ｇが電磁弁２ｅや電動弁２ｐに至る管路２ｉに取り付けられ、電磁弁２ｅから排出される温水Ｉに抗菌作用のある銀イオンを溶出するようにした。これと共に、弱ミスト運転が設定されると、電磁弁２ｄから排出される温水Ｉに抗菌作用のある銀イオンを溶出するようにした。これにより、銀イオンが溶けこんだ温水Ｉであって、電動弁２ｐにより流量調整された温水Ｉを排出するようになされる。
【実施例３】
【０２２５】
図３１は、第３の実施例としての電動・電磁弁ユニット２０３の構成例を示す概念図である。
【０２２６】
図３１に示す電動・電磁弁ユニット２０３は、図示しない床置きタイプのミスト発生装置に適しており、筐体２Ａ′を有している。この例でも、筐体２Ａ′の一側面を開放すると、電動・電磁弁ユニット内の電磁弁２ｄ、２ｅ及び電動弁２ｐの配置が見られる構成となされている。
【０２２７】
筐体２Ａ′には、上述した給水配管２ａを接続するための接続部２ａ′と、同様にノズル配管２ｂを接続するための接続部２ｂ′と、ドレン配管２ｃを接続するための接続部２ｃ′とが取り付けられて固定されている。
【０２２８】
この例で、筐体２Ａ′の内側において、接続部２ａ′には給水又は給湯用の電磁弁２ｄが取り付けられ、給湯装置４からの水又は温水Ｉを供給するようになされる。この電磁弁２ｄに接続された配管２ｉは、銀イオンユニット２ｇを挟んでＴ字状に分岐される。その一方の配管２ｊ′には、ミストノズル用の電磁弁２ｅが取り付けられ、水又は温水Ｉをノズルユニット２Ｃへ供給するようになされる。電磁弁２ｅの下流側（他端）は接続部２ｂ′に取り付けられる。電磁弁２ｅよりも低い位置には、排水流量調整用の電動弁２ｐが配設されると共に、配管２ｉから分岐された他方の配管２ｋ′に取り付けられ、排水時に流量調整するようになされる。電動弁２ｐの下流側（他端）は接続部２ｃ′に取り付けられる。
【０２２９】
この例でも、銀イオンユニット２ｇが電磁弁２ｅや電動弁２ｐに至る管路２ｉに取り付けられ、電磁弁２ｅから排出される温水Ｉに抗菌作用のある銀イオンを溶出するようにした。これと共に、弱ミスト運転が設定されると、電磁弁２ｄから排出される温水Ｉに抗菌作用のある銀イオンを溶出するようにした。これにより、銀イオンが溶けこんだ温水Ｉであって、電動弁２ｐにより流量調整された温水Ｉを排出するようになされる。
【実施例４】
【０２３０】
図３２は、ミスト発生装置２の第４の実施例としての電磁弁ユニット２０４の構成例を示す概念図である。
【０２３１】
図３２に示す電磁弁ユニット２０４内には、銀イオンユニット２ｇが設けられておらず、その代わりに接続部２ｂ′に第１の銀イオンユニット２ｇ１が取り付けられ、接続部２ｃ′に第２の銀イオンユニット２ｇ２が取り付けられるものである。図３２において、図２に示した名称及び符号と対応する部分には、同一符号を付して示しているのでその説明を省略する。
【０２３２】
電磁弁ユニット２０４は、電磁弁ユニット２０１から銀イオンユニット２ｇを除いたとものと同様の構成となる。この場合、銀イオンユニット２ｇ１は、接続部２ｂ′に接続されるノズル配管２ｂに取り付けられる。この場合、ノズル配管２ｂを流れる温水Ｉのみに銀イオンを溶出でき、ノズルユニット２Ｃの各ノズル２ｍから噴出されるミストによる抗菌効果を得ることができることは図２の電磁弁ユニット２０１を使用する場合と同じである。また、銀イオンユニット２ｇ２は、接続部２ｃ′に接続され、ドレン配管２ｃ、ドレンパン１０１の抗菌効果を得ることができる。
【０２３３】
このように、銀イオンユニット２ｇ１、２ｇ２を独立して取り付けると、銀イオン注入に関して、ノズルユニット２Ｃと独立して、電磁弁２ｆを介して銀イオン注入制御を実行できる。例えば、弱ミスト運転時、ノズルユニット２Ｃには銀イオンユニット２ｇ１を介して銀イオン注入制御が実行され、銀イオンユニット２ｇ２では、その注入を停止して、銀イオンを温水Ｉに溶出させない排水制御を実行できるようになる。
【０２３４】
第１〜第４の実施例においては、入浴ミストモードや弱ミストモード時に、抗菌作用のある金属イオンとして銀イオンを用いたものであるが、その他の金属イオン、例えば銅イオン、亜鉛イオン等であってもよい。
【実施例５】
【０２３５】
図３３は、ミスト発生装置２の第５の実施例としての電解水生成ユニット２Ｄの接続例を示す概念図である。この実施例では、入浴ミストモードや弱ミストモード時に、温水Ｉから酸性電解水を生成し、この酸性電解水をノズル２ｍからミストとして噴出するようにしたものである。
【０２３６】
図３３に示す電磁弁ユニット２０５には電解水生成ユニット２Ｄが接続され、温水Ｉから酸性電解水を生成するようになされる。この例で、電解水生成ユニット２Ｄは、電磁弁ユニット２０５の接続部２ｂ′に接続されている。この電解水生成ユニット２Ｄでは、以下の原理で酸性電解水及びアルカリ電解水が生成される。すなわち、電解槽内の２つ電極（陽極、陰極）間に隔膜を置き、温水Ｉ（水）に電解補助剤（ＮａＣｌ）を添加したものを電解槽内に流し、電気分解をする。これにより、陽極側に酸性電解水、陰極側にアルカリ電解水が生成される（有隔膜電解）。
【０２３７】
酸性電解水には塩素ガスが溶解しており、この塩素ガスから生成される次亜塩素酸（ＨＣｌＯ）の働きで微生物に対する抗菌作用が得られる。一方、アルカリ電解水によりたんぱく質系・脂質系の汚れに洗浄効果のある水酸化ナトリウム（ＮａＯＨ）が生成される。
【０２３８】
ここで、電解水生成ユニット２Ｄの給水管７１は電磁弁ユニット２０５の接続部２ｂ′に接続され、この電解水生成ユニット２Ｄには電磁弁２Ｃを介して温水Ｉ（水）が供給される。また、この電解水生成ユニット２Ｄの酸性電解水の排水管７２はノズル配管としてノズルユニット２Ｃの接続部２ｎに接続される。これにより、ノズルユニット２Ｃの各ノズル２ｍから酸性電解水がミストとして、例えば浴室１０１内に噴出される。さらに、この電解水生成ユニット２Ｄのアルカリ電解水の排水管７３は図示せずもドレン配管２ｃに接続され、アルカリ電解水はドレン配管２ｃを介してドレンパン１０１ｃに排出される。
【０２３９】
なお、電解水生成ユニット２Ｄで生成される酸性電解水のｐＨは、この電解水生成ユニット２Ｄに供給される温水Ｉ（水）の流量、あるいは電極間に印加される電圧の値を調整することで、調整できる（例えば、特開６−２４６２６８号公報参照）。
【０２４０】
この電解生成ユニット２Ｄを用いることで、以下のような効果を得ることができる。例えば、微酸性電解水（ｐＨ６程度）をノズル２ｍからミストとして噴出させる場合、これを人の肌に浴びることで、雑菌から皮膚を守ることができる。また、強酸性電解水（ｐＨ２〜３程度）をノズル２ｍからミストとして噴出させる場合、強力な抗菌効果を得ることができる。また、アルカリ電解水をドレン配管２ｃに流すことで、このドレン配管２ｃ、ドレンパン１０１ｃ、排水口等のぬめりを落とすことができる。
【０２４１】
なお、電解水生成ユニット２Ｄを電磁弁ユニット２０５内に取り付けることも考えられるが、酸性電解水を電磁弁に通すことは耐久上好ましくないことから、図３３に示すように電解水生成ユニット２Ｄを電磁弁ユニット２０５の外部に取り付けることとしている。
【０２４２】
上述の各実施例においては、流路切替器が電磁弁ユニット２０１（図２参照）、電動・電磁弁ユニット２０２、２０３、２０４及び２０５で構成される場合について説明したが、これに限られることはなく、例えば、三方電磁弁などを用いた構成を採用することもできる。
【０２４３】
また、各実施例においては、銀イオンが含まれた温水Ｉや、酸性電解水等をノズルユニット２Ｃのノズル２ｍからミストとして噴出させるものを示したが、このように銀イオンが含まれた温水Ｉや、酸性電解水等をシャワーヘッドからシャワーとして噴出させるようにしてもよい。このシャワーにより、浴室１０１の壁面、床面の抗菌を行うことができる。
【産業上の利用可能性】
【０２４４】
この発明は、給湯器より供給される温水を噴出したり、温水が供給される所定箇所を抗菌するミストサウナ装置や、当該装置を備えた浴室システムに適用して極めて好適である。
【図面の簡単な説明】
【０２４５】
【図１】本発明に係る各実施例としての浴室システム１の構成例を示す断面の概念図である。
【図２】電磁弁ユニット２０１の構成例及び電源部ユニット２Ｂへの接続例を示す図である。
【図３】（Ａ）〜（Ｃ）は、電磁弁ユニット２０１のミストサウナ運転時の動作例を示す線図である。
【図４】（Ａ）及び（Ｂ）は、電磁弁ユニット２０１の弱ミスト運転時及びその停止時の動作例を示す線図である。
【図５】（Ａ）〜（Ｃ）は、ノズルユニット２Ｃの構成例を示す図である。
【図６】浴室空調装置３の内部構成例を示す断面図である。
【図７】浴室空調装置３の分解例を示す斜視図である。
【図８】（Ａ）〜（Ｃ）は、浴室空調装置３の動作例を示す図である。
【図９】ヒートポンプ式の給湯装置４の構成例を示すブロック図である。
【図１０】ミストリモコン（ミスト操作部）７の操作面の構成例を示す正面図である。
【図１１】空調リモコン（主操作部）６の操作面の構成例を示す正面図である。
【図１２】第１の実施例に係る浴室空調装置３及びミスト発生装置２の制御系の構成例を示すブロック図である。
【図１３】入浴ミスト（銀イオンミストオン）モードの動作例（その１）を示すフローチャートである。
【図１４】入浴ミスト（銀イオンミストオン）モードの動作例（その２）を示すフローチャートである。
【図１５】入浴ミスト（銀イオンミストオン）モードの他の動作例（その１）を示すフローチャートである。
【図１６】入浴ミスト（銀イオンミストオン）モードの他の動作例（その２）を示すフローチャートである。
【図１７】入浴ミストモードの動作例（その１）を示すフローチャートである。
【図１８】入浴ミストモードの動作例（その２）を示すフローチャートである。
【図１９】換気標準（銀イオンミストオン）モードの動作例を示すフローチャートである。
【図２０】換気標準モードの動作例を示すフローチャートである。
【図２１】浴室乾燥（銀イオンミストオン）モードの動作例を示すフローチャートである。
【図２２】浴室乾燥モードの動作例を示すフローチャートである。
【図２３】暖房モードの動作例を示すフローチャートである。
【図２４】涼風（銀イオンミストオン）モードの動作例を示すフローチャートである。
【図２５】涼風モードの動作例を示すフローチャートである。
【図２６】衣類乾燥（銀イオンミストオン）モードの動作例を示すフローチャートである。
【図２７】衣類乾燥モードの動作例を示すフローチャートである。
【図２８】ミスト発生装置２の第２の実施例として電動・電磁弁ユニット２０２の構成例を示す正面図である。
【図２９】（Ａ）〜（Ｃ）は、電動・電磁弁ユニット２０２の動作例を示す線図である。
【図３０】第２の実施例に係る浴室空調装置３及びミスト発生装置２の制御系の構成例を示すブロック図である。
【図３１】ミスト発生装置２の第３の実施例としての電動・電磁弁ユニット２０３の構成例を示す概念図である。
【図３２】ミスト発生装置２の第４の実施例としての電磁弁ユニット２０４の構成例を示す概念図である。
【図３３】ミスト発生装置２の第５の実施例としての電磁弁ユニット２０５と電解水生成ユニット２Ｄの接続例を示す概念図である。
【符号の説明】
【０２４６】
１・・・浴室システム、２・・・ミスト発生装置、２Ａ′・・・筐体、２Ｂ・・・電源部ユニット、２Ｃ・・・ノズルユニット、２Ｄ・・・電解水生成ユニット、２ａ・・・給水配管、２ｂ・・・ノズル配管、２ｃ・・・ドレン配管、２ａ′〜２ｃ′・・・接続部、２ｄ〜２ｆ・・・電磁弁、２ｇ・・・銀イオンユニット、２ｈ，６９・・・温度検出センサ、２ｉ〜２ｋ・・・配管、２ｐ・・・電動弁、３・・・浴室空調装置、４・・・給湯装置（給湯源，給湯器）、６・・・主操作部（空調リモコン）、６ａ，７ａ・・・電気ケーブル、６ｈ，７ｅ・・・発光素子、７・・・ミスト操作部（ミストリモコン）、７ｆ・・・ブザー、８・・・排気ダクト、２６・・・フロントパネル、６９Ａ・・・人体検出センサ、６９Ｂ・・・浴室照明スイッチ、１０１ａ・・・点検口、１０１ｂ・・・浴槽、１０１ｃ・・・ドレンパン、２０１，２０４，２０５・・・電磁弁ユニット、２０２，２０３・・・電動・電磁弁ユニット
【図１】
0004810972.tif 000002
【図２】
0004810972.tif 000003
【図３】
0004810972.tif 000004
【図４】
0004810972.tif 000005
【図５】
0004810972.tif 000006
【図６】
0004810972.tif 000007
【図７】
0004810972.tif 000008
【図８】
0004810972.tif 000009
【図９】
0004810972.tif 000010
【図１０】
0004810972.tif 000011
【図１１】
0004810972.tif 000012
【図１２】
0004810972.tif 000013
【図１３】
0004810972.tif 000014
【図１４】
0004810972.tif 000015
【図１５】
0004810972.tif 000016
【図１６】
0004810972.tif 000017
【図１７】
0004810972.tif 000018
【図１８】
0004810972.tif 000019
【図１９】
0004810972.tif 000020
【図２０】
0004810972.tif 000021
【図２１】
0004810972.tif 000022
【図２２】
0004810972.tif 000023
【図２３】
0004810972.tif 000024
【図２４】
0004810972.tif 000025
【図２５】
0004810972.tif 000026
【図２６】
0004810972.tif 000027
【図２７】
0004810972.tif 000028
【図２８】
0004810972.tif 000029
【図２９】
0004810972.tif 000030
【図３０】
0004810972.tif 000031
【図３１】
0004810972.tif 000032
【図３２】
0004810972.tif 000033
【図３３】
0004810972.tif 000034